(57)【特許請求の範囲】
【請求項１】
ワイヤレスネットワークにおいてパケットデータネットワーク（ＰＤＮ）接続性を利用するための方法であって、
１つまたは複数のアクセスポイントにおいてローカルゲートウェイへのＰＤＮ接続性が可能にされるかどうかを指定する１つまたは複数のパラメータを受信すること、ここで、前記１つまたは複数のパラメータは、ＰＤＮ接続性が許可される前記１つまたは複数のアクセスポイントにおいて前記ローカルゲートウェイへのＰＤＮ接続性を確立するための使用のために、アクセスポイント名（ＡＰＮ）のリストを備える、と、
前記１つまたは複数のアクセスポイントのうちの少なくとも１つに接続されている間、前記ローカルゲートウェイへのＰＤＮ接続を確立するためにＡＰＮを含む要求を受信することと、
前記ＡＰＮが、前記１つまたは複数のアクセスポイントのうちの前記少なくとも１つに関連付けられるとして前記ＡＰＮのリストに含まれるかどうかの判断に少なくとも部分的に基づいて、前記１つまたは複数のアクセスポイントのうちの前記少なくとも１つを使用して前記ローカルゲートウェイへの前記ＰＤＮ接続を開始すべきかどうかを判断することと、
を備える方法。
【請求項２】
前記ローカルゲートウェイへの前記ＰＤＮ接続についてのＰＤＮ接続性要求を前記１つまたは複数のアクセスポイントのうちの別の１つに送信することをさらに備え、
前記１つまたは複数のパラメータを受信することが、前記ＰＤＮ接続性要求に応答して行われる、請求項１に記載の方法。
【請求項３】
前記１つまたは複数のパラメータは、前記１つまたは複数のアクセスポイントのうちの前記少なくとも１つと、前記１つまたは複数のアクセスポイントのうちの前記別の１つとを含むアクセスポイントのセットによって前記ローカルゲートウェイへのＰＤＮ接続性が可能にされないという指示を備え、
前記判断することが、前記ＰＤＮ接続を開始しないことを判断することを含む、請求項２に記載の方法。
【請求項４】
アクセスポイントの前記セットが、同じ限定加入者グループ中のアクセスポイントに対応する、請求項３に記載の方法。
【請求項５】
アクセスポイントの前記セットが、同じパブリックランドモバイルネットワーク中のアクセスポイントに対応する、請求項３に記載の方法。
【請求項６】
前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、請求項１に記載の方法。
【請求項７】
前記１つまたは複数のパラメータを前記受信することが、サブスクリプション情報中で、限定加入者グループサブスクリプション情報中で、またはオープンモバイルアライアンスデバイス管理プロシージャの一部として前記１つまたは複数のパラメータを受信することを備える、請求項１に記載の方法。
【請求項８】
１つまたは複数のトリガまたはイベントに少なくとも部分的に基づいて前記１つまたは複数のパラメータを削除することをさらに備える、請求項１に記載の方法。
【請求項９】
ワイヤレスネットワークにおいてパケットデータネットワーク（ＰＤＮ）接続性を利用するための装置であって、
１つまたは複数のアクセスポイントにおいてローカルゲートウェイへのＰＤＮ接続性が可能にされるかどうかを指定する１つまたは複数のパラメータを取得すること、ここで、前記１つまたは複数のパラメータは、前記ローカルゲートウェイへのＰＤＮ接続性が許可される前記１つまたは複数のアクセスポイントについてアクセスポイント名（ＡＰＮ）のリストを備える、と、
前記１つまたは複数のアクセスポイントのうちの少なくとも１つに接続されている間、前記ローカルゲートウェイとのＰＤＮ接続を確立するためにＡＰＮを含む要求を受信することと、
前記ＡＰＮが、前記１つまたは複数のアクセスポイントのうちの前記少なくとも１つに関連付けられるとして前記ＡＰＮのリストに含まれるかどうかの判断に少なくとも部分的によって、前記１つまたは複数のアクセスポイントのうちの前記少なくとも１つを使用して前記ローカルゲートウェイへの前記ＰＤＮ接続を開始すべきかどうかを判断することと、
を行うように構成された少なくとも１つのプロセッサと、
前記少なくとも１つのプロセッサに結合されたメモリと、
を備える装置。
【請求項１０】
前記少なくとも１つのプロセッサが、前記１つまたは複数のアクセスポイントのうちの別の１つを使用して前記ローカルゲートウェイへのＰＤＮ接続性要求を送信するようにさらに構成され、
前記少なくとも１つのプロセッサが、前記ＰＤＮ接続性要求に応答して前記１つまたは複数のパラメータを取得する、請求項９に記載の装置。
【請求項１１】
前記１つまたは複数のパラメータは、前記１つまたは複数のアクセスポイントのうちの前記少なくとも１つと、前記１つまたは複数のアクセスポイントのうちの前記別の１つとを含むアクセスポイントのセットによって前記ローカルゲートウェイへのＰＤＮ接続性が可能にされないという指示を備え、
前記少なくとも１つのプロセッサが、前記ＰＤＮ接続を開始しないことを判断する、請求項１０に記載の装置。
【請求項１２】
アクセスポイントの前記セットが、同じ限定加入者グループ中または同じパブリックランドモバイルネットワーク中のアクセスポイントに対応する、請求項１１に記載の装置。
【請求項１３】
前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、請求項９に記載の装置。
【請求項１４】
ワイヤレスネットワークにおいてパケットデータネットワーク（ＰＤＮ）接続性を利用するための装置であって、
１つまたは複数のアクセスポイントにおいてローカルゲートウェイへのＰＤＮ接続性が可能にされるかどうかを指定する１つまたは複数のパラメータを取得するための手段、ここで、前記１つまたは複数のパラメータは、前記ローカルゲートウェイへのＰＤＮ接続性が許可される前記１つまたは複数のアクセスポイントについてアクセスポイント名（ＡＰＮ）のリストを備える、と、
前記１つまたは複数のアクセスポイントのうちの少なくとも１つに接続されている間、前記ローカルゲートウェイへのＰＤＮ接続を確立するためにＡＰＮを含む要求を受信するための手段と、
前記ＡＰＮが、前記１つまたは複数のアクセスポイントのうちの前記少なくとも１つに関連付けられるとして前記ＡＰＮのリストに含まれるかどうかの判断に少なくとも部分的によって、前記１つまたは複数のアクセスポイントのうちの前記少なくとも１つにおいて前記ローカルゲートウェイへの前記ＰＤＮ接続を開始すべきかどうかを判断するための手段と、
を備える装置。
【請求項１５】
判断するための前記手段が、前記１つまたは複数のアクセスポイントのうちの別の１つを使用して前記ローカルゲートウェイへのＰＤＮ接続性要求を送信し、
取得するための前記手段が、前記ＰＤＮ接続性要求に応答して前記１つまたは複数のパラメータを取得する、請求項１４に記載の装置。
【請求項１６】
前記１つまたは複数のパラメータは、前記１つまたは複数のアクセスポイントのうちの前記少なくとも１つと、前記１つまたは複数のアクセスポイントのうちの前記別の１つとを含むアクセスポイントのセット中で前記ローカルゲートウェイへのＰＤＮ接続性が可能にされないという指示を備え、
判断するための前記手段が、前記ＰＤＮ接続を開始しないことを判断する、請求項１５に記載の装置。
【請求項１７】
アクセスポイントの前記セットが、同じ限定加入者グループ中または同じパブリックランドモバイルネットワーク中のアクセスポイントに対応する、請求項１６に記載の装置。
【請求項１８】
前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、請求項１４に記載の装置。
【請求項１９】
ワイヤレスネットワークにおいてパケットデータネットワーク（ＰＤＮ）接続性を利用するためのコンピュータプログラムを記憶するコンピュータ可読な記憶媒体であって、
少なくとも１つのコンピュータに、１つまたは複数のアクセスポイントにおいてローカルゲートウェイへのＰＤＮ接続性が可能にされるかどうかを指定する１つまたは複数のパラメータを取得させるためのコード、ここで、前記１つまたは複数のパラメータは、前記ローカルゲートウェイへのＰＤＮ接続性が許可される前記１つまたは複数のアクセスポイントについてアクセスポイント名（ＡＰＮ）のリストを備える、と、
前記少なくとも１つのコンピュータに、前記１つまたは複数のアクセスポイントのうちの少なくとも１つに接続されている間、前記ローカルゲートウェイへのＰＤＮ接続を確立するためにＡＰＮを含む要求を受信させるためのコードと、
前記ＡＰＮが、前記１つまたは複数のアクセスポイントのうちの前記少なくとも１つに関連付けられるとして前記ＡＰＮのリストに含まれるかどうかの判断に少なくとも部分的によって、前記１つまたは複数のアクセスポイントのうちの前記少なくとも１つを使用して前記ローカルゲートウェイへの前記ＰＤＮ接続を開始すべきかどうかを判断させるためのコードと、
を備えるコンピュータ可読な記憶媒体。
【請求項２０】
前記コンピュータ可読な記憶媒体が、前記少なくとも１つのコンピュータに、前記１つまたは複数のアクセスポイントのうちの別の１つを使用して前記ローカルゲートウェイへのＰＤＮ接続性要求を送信させるためのコードをさらに備え、
前記少なくとも１つのコンピュータに取得させるための前記コードが、前記ＰＤＮ接続性要求に応答して前記１つまたは複数のパラメータを取得する、
請求項１９に記載のコンピュータ可読な記憶媒体。
【請求項２１】
前記１つまたは複数のパラメータは、前記１つまたは複数のアクセスポイントのうちの前記少なくとも１つと、前記１つまたは複数のアクセスポイントのうちの前記別の１つとを含むアクセスポイントのセットによって前記ローカルゲートウェイへのＰＤＮ接続性が可能にされないという指示を備え、
前記少なくとも１つのコンピュータに判断させるための前記コードが、前記ＰＤＮ接続を開始しないことを判断する、
請求項２０に記載のコンピュータ可読な記憶媒体。
【請求項２２】
アクセスポイントの前記セットが、同じ限定加入者グループ中または同じパブリックランドモバイルネットワーク中のアクセスポイントに対応する、請求項２１に記載のコンピュータ可読な記憶媒体。
【請求項２３】
前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、請求項１９に記載のコンピュータ可読な記憶媒体。
【請求項２４】
ワイヤレスネットワークにおいてパケットデータネットワーク（ＰＤＮ）接続性を利用するための装置であって、
１つまたは複数のアクセスポイントにおいてローカルゲートウェイへのＰＤＮ接続性が可能にされるかどうかを指定する１つまたは複数のパラメータを取得するためのパラメータ受信構成要素、ここで、前記１つまたは複数のパラメータは、前記ローカルゲートウェイへのＰＤＮ接続性が許可される前記１つまたは複数のアクセスポイントについてアクセスポイント名（ＡＰＮ）のリストを備える、と、
前記１つまたは複数のアクセスポイントのうちの少なくとも１つに接続されている間、前記ローカルゲートウェイへのＰＤＮ接続を確立するためにＡＰＮを含む要求を受信するためのＰＤＮ要求判断構成要素と、
前記ＡＰＮが、前記１つまたは複数のアクセスポイントのうちの前記少なくとも１つに関連付けられるとして前記ＡＰＮのリストに含まれるかどうかの判断に少なくとも部分的によって、前記１つまたは複数のアクセスポイントのうちの前記少なくとも１つにおいて前記ローカルゲートウェイへの前記ＰＤＮ接続を開始すべきかどうかを判断するためのＰＤＮ接続要求構成要素と、
を備える装置。
【請求項２５】
前記ＰＤＮ接続要求構成要素が、前記１つまたは複数のアクセスポイントのうちの別の１つを使用して前記ローカルゲートウェイへのＰＤＮ接続性要求を送信し、
前記パラメータ受信構成要素が、前記ＰＤＮ接続性要求に応答して前記１つまたは複数のパラメータを取得する、請求項２４に記載の装置。
【請求項２６】
前記１つまたは複数のパラメータは、前記１つまたは複数のアクセスポイントのうちの前記少なくとも１つと、前記１つまたは複数のアクセスポイントのうちの前記別の１つとを含むアクセスポイントのセット中で前記ローカルゲートウェイへのＰＤＮ接続性が可能にされないという指示を備え、
前記ＰＤＮ接続要求構成要素が、前記ＰＤＮ接続を開始しないことを判断する、請求項２５に記載の装置。
【請求項２７】
アクセスポイントの前記セットが、同じ限定加入者グループ中または同じパブリックランドモバイルネットワーク中のアクセスポイントに対応する、請求項２６に記載の装置。
【請求項２８】
前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、請求項２４に記載の装置。
【請求項２９】
前記パラメータ受信構成要素が、サブスクリプション情報中で、限定加入者グループサブスクリプション情報中で、またはオープンモバイルアライアンスデバイス管理プロシージャの一部として前記１つまたは複数のパラメータを取得する、請求項２４に記載の装置。
【請求項３０】
前記ＰＤＮ接続要求構成要素が、１つまたは複数のトリガまたはイベントに少なくとも部分的に基づいて前記１つまたは複数のパラメータを削除する、請求項２４の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年６月１７日に出願された「METHOD AND APPARATUS FOR ENFORCING NETWORK SELECTION IN A ROAMING NETWORK」と題する仮出願第６１／３５５，９１８号、ならびに本出願の譲受人に譲渡され、参照により本明細書に明確に組み込まれる、２０１１年１月２４日に出願された「MANAGEMENT OF LOCAL INTERNET PROTOCOL ACCESS USING A PROVISIONED MEMORY IN A MOBILE ENTITY」と題する仮出願第６１／４３５，３８９号の優先権を主張する。
【０００２】
以下の説明は、一般にワイヤレスネットワーク通信に関し、より詳細には、パケットデータネットワーク接続性（connectivity）を管理することに関する。
【背景技術】
【０００３】
ワイヤレス通信システムは、たとえば、音声、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／または基地局は他の基地局と）通信することができる。
【０００５】
従来の基地局を補うために、追加の基地局を展開して、よりロバストなワイヤレスカバレージをモバイルユニットに与え得る。たとえば、増分キャパシティの増大、よりリッチなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムトアクセスポイント、フェムトセル、ピコセル、マイクロセルなどと呼ばれることがある）ワイヤレス中継局および低電力基地局が展開され得る。いくつかの構成では、そのような低電力基地局は、ブロードバンド接続（たとえば、デジタル加入者回線（ＤＳＬ）ルータ、ケーブルまたは他のモデムなど）を介してインターネットおよびモバイル事業者のネットワークに接続される。いくつかのＨ（ｅ）ＮＢは、あるデバイスまたは限定加入者グループ（ＣＳＧ）のメンバーである関係ユーザへのアクセスを制限するＣＳＧアクセスを与える。ホーム加入者サーバ（ＨＳＳ）、ホームロケーションレジスタ（ＨＬＲ）、あるいはデバイスのホームネットワークの１つまたは複数の他のノードは、（たとえば、デバイスの一般的なサブスクリプション情報に加えて）デバイスがメンバーであるかまたは場合によってはアクセスすることができるＣＳＧの１つまたは複数のリストを含むことができる、デバイスのＣＳＧサブスクリプション情報を記憶することができる。
【０００６】
さらに、Ｈ（ｅ）ＮＢが利用するブロードバンド接続によって、Ｈ（ｅ）ＮＢは、ローカルネットワークを介してサービスへのアクセスまたはリソースへのアクセスをさらに取得することができる。一例では、他のデバイスがインターネットまたは別のパケットデータネットワーク（ＰＤＮ）にアクセスすることを可能にすることができるゲートウェイまたはルータをＨ（ｅ）ＮＢが利用する（または提供する）場合、デバイスおよびＨ（ｅ）ＮＢは、ゲートウェイまたはルータによってサービスされるローカルＰＤＮに参加することができる。この例では、ゲートウェイまたはルータは、ローカルＰＤＮを介して、ストレージデバイス、プリンタまたは他の出力デバイスなど、リソースにサービスを提供するかまたはリソースにアクセスすることができる。１つまたは複数のモバイルデバイスが、同様にＨ（ｅ）ＮＢを介してＰＤＮ上のローカルリソースにアクセスすることができる（たとえば、および／またはローカルネットワーク上のデバイスが、１つまたは複数のモバイルデバイスのリソースにアクセスすることができる）ように、Ｈ（ｅ）ＮＢは、いくつかの例では、モバイルネットワークインターフェースを介してＨ（ｅ）ＮＢと通信する１つまたは複数のモバイルデバイスにローカルインターネットプロトコル（ＩＰ）アクセス（ＬＩＰＡ：local internet protocol (IP) access）を提供することができる。別の例では、Ｈ（ｅ）ＮＢは、モバイルネットワークを通してトラフィックをフォワーディングすることなしにＰＤＮ中のルータを使用して、インターネット上で１つまたは複数のデバイスに関係するトラフィックをフィルタ処理するための選択ＩＰトラフィックオフロード（ＳＩＰＴＯ：selected IP traffic offload）を実装することができる。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の実施形態およびそれの対応する開示に従って、１つまたは複数のデバイスについての、ローカルインターネットプロトコル（ＩＰ）アクセス（ＬＩＰＡ）、選択ＩＰトラフィックオフロード（ＳＩＰＴＯ）など、パケットデータネットワーク（ＰＤＮ）接続性を管理することに関連して、様々な態様について説明する。たとえば、デバイスが通信している１つまたは複数のアクセスポイントとのＰＤＮ接続が可能にされるかどうかを判断するために、ＰＤＮ接続性に関係する１つまたは複数のパラメータがデバイスに提供され得る。たとえば、１つまたは複数のパラメータは、デバイスについてのゲートウェイへの（たとえば、ＬＩＰＡ、ＳＩＰＴＯなどの形態の）ＰＤＮ接続性が可能にされるかどうかの指示をもつアクセスポイントのリスト、特定のＰＤＮ接続性が可能にされるアクセスポイントのリスト、１つまたは複数のアクセスポイント、あるいは限定加入者グループ（ＣＳＧ）、パブリックランドモバイルネットワーク（ＰＬＭＮ：public land mobile network）など、アクセスポイントのグルーピングと、デバイスについてのＰＤＮ接続性が可能にされるかどうかの指示とに関するアクセスポイント名（ＡＰＮ）のリスト、１つまたは複数のアクセスポイントにおいて特定のＰＤＮ接続性が可能にされるＡＰＮのリストなどを指定することができる。
【０００９】
さらに、たとえば、パラメータは、デバイスサブスクリプション情報、デバイスに関係するＣＳＧ情報などの中で指定され得る。いずれの場合も、デバイスは、１つまたは複数のパラメータに少なくとも部分的に基づいて、アクセスポイントからＰＤＮ接続を要求または開始すべきかどうかを判断することができる。これにより不要なシグナリングを軽減することができ、デバイスは、さもなければ、ＰＤＮ接続性が可能にされないアクセスポイントを介してＰＤＮ接続を要求し得る。
【００１０】
一例によれば、ワイヤレスネットワークにおいてＰＤＮ接続性を利用するための方法が提供される。本方法は、１つまたは複数のアクセスポイントにおいてローカルゲートウェイへのＰＤＮ接続性が可能にされるかどうかを指定する１つまたは複数のパラメータを受信することと、１つまたは複数のアクセスポイントのうちの少なくとも１つに接続されている間、ローカルゲートウェイへのＰＤＮ接続を確立したいという要求を受信することとを含む。本方法は、１つまたは複数のパラメータに少なくとも部分的に基づいて、１つまたは複数のアクセスポイントのうちの少なくとも１つを使用してローカルゲートウェイへのＰＤＮ接続を開始すべきかどうかを判断することをさらに含む。
【００１１】
別の態様では、ワイヤレスネットワークにおいてＰＤＮ接続性を利用するための装置が提供される。本装置は、１つまたは複数のアクセスポイントにおいてローカルゲートウェイへのＰＤＮ接続性が可能にされるかどうかを指定する１つまたは複数のパラメータを取得することと、１つまたは複数のアクセスポイントのうちの少なくとも１つに接続されている間、ローカルゲートウェイへのＰＤＮ接続を確立したいという要求を受信することとを行うように構成された少なくとも１つのプロセッサを含む。少なくとも１つのプロセッサは、１つまたは複数のパラメータに少なくとも部分的に基づいて、１つまたは複数のアクセスポイントのうちの少なくとも１つを使用してローカルゲートウェイへのＰＤＮ接続を開始すべきかどうかを判断するようにさらに構成され得る。本装置はまた、少なくとも１つのプロセッサに結合されたメモリを含む。
【００１２】
さらに別の態様では、１つまたは複数のアクセスポイントにおいてローカルゲートウェイへのＰＤＮ接続性が可能にされるかどうかを指定する１つまたは複数のパラメータを取得するための手段と、１つまたは複数のアクセスポイントのうちの少なくとも１つに接続されている間、ローカルゲートウェイへのＰＤＮ接続を確立したいという要求を受信するための手段とを含む、ワイヤレスネットワークにおいてＰＤＮ接続性を利用するための装置が提供される。本装置は、１つまたは複数のパラメータに少なくとも部分的に基づいて、１つまたは複数のアクセスポイントのうちの少なくとも１つにおいてローカルゲートウェイへのＰＤＮ接続を開始すべきかどうかを判断するための手段をさらに含む。
【００１３】
さらに、別の態様では、少なくとも１つのコンピュータに、１つまたは複数のアクセスポイントにおいてローカルゲートウェイへのＰＤＮ接続性が可能にされるかどうかを指定する１つまたは複数のパラメータを取得させるためのコードと、少なくとも１つのコンピュータに、１つまたは複数のアクセスポイントのうちの少なくとも１つに接続されている間、ローカルゲートウェイへのＰＤＮ接続を確立したいという要求を受信させるためのコードとを有するコンピュータ可読媒体を含む、ワイヤレスネットワークにおいてＰＤＮ接続性を利用するためのコンピュータプログラム製品が提供される。コンピュータ可読媒体は、少なくとも１つのコンピュータに、１つまたは複数のパラメータに少なくとも部分的に基づいて、１つまたは複数のアクセスポイントのうちの少なくとも１つを使用してローカルゲートウェイへのＰＤＮ接続を開始すべきかどうかを判断させるためのコードをさらに含む。
【００１４】
さらに、一態様では、１つまたは複数のアクセスポイントにおいてローカルゲートウェイへのＰＤＮ接続性が可能にされるかどうかを指定する１つまたは複数のパラメータを取得するためのパラメータ受信構成要素と、１つまたは複数のアクセスポイントのうちの少なくとも１つに接続されている間、ローカルゲートウェイへのＰＤＮ接続を確立したいという要求を受信するためのＰＤＮ要求判断構成要素とを含む、ワイヤレスネットワークにおいてＰＤＮ接続性を利用するための装置が提供される。本装置は、１つまたは複数のパラメータに少なくとも部分的に基づいて、１つまたは複数のアクセスポイントのうちの少なくとも１つにおいてローカルゲートウェイへのＰＤＮ接続を開始すべきかどうかを判断するためのＰＤＮ接続要求構成要素をさらに含む。
【００１５】
別の例によれば、ＡＰＮを指定する、アクセスポイントとのＰＤＮ接続を確立したいという要求をデバイスから受信することと、ＡＰＮがローカルゲートウェイへのＰＤＮ接続性に関係すると判断することとを含む、ワイヤレスネットワークにおいてＰＤＮ接続性を利用するための方法が提供される。本方法は、ＡＰＮがローカルゲートウェイへのＰＤＮ接続性に関係すると判断したことに基づいて、デバイスがアクセスポイントにおいてＰＤＮ接続を確立することを可能にされないと判断することと、デバイスがＡＰＮについてのローカルゲートウェイへのＰＤＮ接続を確立することができない１つまたは複数のアクセスポイントを示す１つまたは複数のＰＤＮ接続性パラメータをデバイスに送ることとをさらに含む。
【００１６】
別の態様では、ワイヤレスネットワークにおいてＰＤＮ接続性を利用するための装置が提供される。本装置は、アクセスポイント名（ＡＰＮ）を指定する、アクセスポイントとのＰＤＮ接続を確立したいという要求をデバイスから受信することと、ＡＰＮがローカルゲートウェイへのＰＤＮ接続性に関係すると判断することとを行うように構成された少なくとも１つのプロセッサを含む。少なくとも１つのプロセッサは、ＡＰＮがローカルゲートウェイへのＰＤＮ接続性に関係すると判断したことに少なくとも部分的に基づいて、デバイスがアクセスポイントにおいてＰＤＮ接続を確立することを可能にされないと判断することと、デバイスがＡＰＮについてのローカルゲートウェイへのＰＤＮ接続を確立することができない１つまたは複数のアクセスポイントを示す１つまたは複数のＰＤＮ接続性パラメータをデバイスに送ることとを行うようにさらに構成され得る。本装置はまた、少なくとも１つのプロセッサに結合されたメモリを含む。
【００１７】
さらに別の態様では、ＡＰＮを指定する、アクセスポイントとのＰＤＮ接続を確立したいという要求をデバイスから受信するための手段と、ＡＰＮがローカルゲートウェイへのＰＤＮ接続性に関係すると判断したことに少なくとも部分的に基づいて、デバイスがアクセスポイントにおいてローカルゲートウェイへのＰＤＮ接続を確立することを可能にされないと判断するための手段とを含む、ワイヤレスネットワークにおいてＰＤＮ接続性を利用するための装置が提供される。本装置は、デバイスがＡＰＮについてのローカルゲートウェイへのＰＤＮ接続を確立することができない１つまたは複数のアクセスポイントを示す１つまたは複数のＰＤＮ接続性パラメータをデバイスに送るための手段をさらに含む。
【００１８】
さらに、別の態様では、少なくとも１つのコンピュータに、ＡＰＮを指定する、アクセスポイントとのＰＤＮ接続を確立したいという要求をデバイスから受信させるためのコードと、少なくとも１つのコンピュータに、ＡＰＮがローカルゲートウェイへのＰＤＮ接続性に関係すると判断させるためのコードとを有するコンピュータ可読媒体を含む、ワイヤレスネットワークにおいてＰＤＮ接続性を利用するためのコンピュータプログラム製品が提供される。コンピュータ可読媒体は、少なくとも１つのコンピュータに、ＡＰＮがローカルゲートウェイへのＰＤＮ接続性に関係すると判断したことに基づいて、デバイスがアクセスポイントにおいてＰＤＮ接続を確立することを可能にされないと判断させるためのコードと、少なくとも１つのコンピュータに、デバイスがＡＰＮについてのローカルゲートウェイへのＰＤＮ接続を確立することができない１つまたは複数のアクセスポイントを示す１つまたは複数のＰＤＮ接続性パラメータをデバイスに送らせるためのコードとをさらに含む。
【００１９】
さらに、一態様では、ＡＰＮを指定する、アクセスポイントとのＰＤＮ接続を確立したいという要求をデバイスから受信するためのＰＤＮ接続要求受信構成要素と、ＡＰＮがローカルゲートウェイへのＰＤＮ接続性に関係すると判断したことに少なくとも部分的に基づいて、デバイスがアクセスポイントにおいてローカルゲートウェイへのＰＤＮ接続を確立することを可能にされないと判断するためのＰＤＮ接続性判断構成要素とを含む、ワイヤレスネットワークにおいてＰＤＮ接続性を利用するための装置が提供される。本装置は、デバイスがＡＰＮについてのローカルゲートウェイへのＰＤＮ接続を確立することができない１つまたは複数のアクセスポイントを示す１つまたは複数のＰＤＮ接続性パラメータをデバイスに送るためのＰＤＮ接続性指示構成要素をさらに含む。
【００２０】
さらに別の例によれば、ＰＤＮ接続を確立するための方法が本明細書で提供される。本方法は、アクセスポイントと通信している間、ローカルゲートウェイへのＰＤＮ接続を確立することを判断することと、アクセスポイントにおけるローカルゲートウェイへのＰＤＮ接続性に対応するＡＰＮを選択することとを含む。本方法は、ＡＰＮを指定する、アクセスポイントへのＰＤＮ接続を確立したいという要求を送信することをさらに含む。
【００２１】
別の態様では、ＰＤＮ接続を確立するための装置が提供される。本装置は、アクセスポイントと通信している間、ローカルゲートウェイへのＰＤＮ接続を確立することを判断することと、アクセスポイントにおけるローカルゲートウェイへのＰＤＮ接続性に対応するＡＰＮを選択することとを行うように構成された少なくとも１つのプロセッサを含む。少なくとも１つのプロセッサは、ＡＰＮを指定する、アクセスポイントへのＰＤＮ接続を確立したいという要求を送信するようにさらに構成され得る。本装置はまた、少なくとも１つのプロセッサに結合されたメモリを含む。
【００２２】
さらに別の態様では、アクセスポイントと通信している間、ローカルゲートウェイへのＰＤＮ接続を確立することを判断するための手段を含む、ＰＤＮ接続を確立するための装置が提供される。本装置は、アクセスポイントにおけるローカルゲートウェイへのＰＤＮ接続性に対応するＡＰＮを指定する、アクセスポイントへのＰＤＮ接続を確立したいという要求を送信するための手段をさらに含む。
【００２３】
さらに、別の態様では、少なくとも１つのコンピュータに、アクセスポイントと通信している間、ローカルゲートウェイへのＰＤＮ接続を確立することを判断させるためのコードと、少なくとも１つのコンピュータに、アクセスポイントにおけるローカルゲートウェイへのＰＤＮ接続性に対応するＡＰＮを選択させるためのコードとを有するコンピュータ可読媒体を含む、ＰＤＮ接続を確立するためのコンピュータプログラム製品が提供される。コンピュータ可読媒体は、少なくとも１つのコンピュータに、ＡＰＮを指定する、アクセスポイントへのＰＤＮ接続を確立したいという要求を送信させるためのコードをさらに含む。
【００２４】
さらに、一態様では、アクセスポイントと通信している間、ローカルゲートウェイへのＰＤＮ接続を確立することを判断するためのＰＤＮ要求判断構成要素を含む、ＰＤＮ接続を確立するための装置が提供される。本装置は、アクセスポイントにおけるローカルゲートウェイへのＰＤＮ接続性に対応するＡＰＮを指定する、アクセスポイントへのＰＤＮ接続を確立したいという要求を送信するためのＰＤＮ接続要求構成要素をさらに含む。
【００２５】
上記および関連する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２６】
以下で、開示する態様を説明するために、および開示する態様を限定しないように提供された添付の図面とともに、開示する態様について説明する。図中、同様の表示は同様の要素を示す。
【図面の簡単な説明】
【００２７】
【図１】パケットデータネットワーク（ＰＤＮ）接続性パラメータを通信するための例示的なシステムの一態様のブロック図。
【図２】１つまたは複数のアクセスポイントへのＰＤＮ接続を確立すべきかどうかを判断するための例示的なシステムの一態様のブロック図。
【図３】ＰＤＮ接続を確立すべきかどうかを判断するための例示的な方法の一態様のフローチャート。
【図４】ＰＤＮ接続性パラメータを通信する例示的な方法の一態様のフローチャート。
【図５】ＰＤＮ接続要求を送信するための例示的な方法の一態様のフローチャート。
【図６】ＰＤＮ接続を確立すべきかどうかを判断するための例示的なモバイルデバイスのブロック図。
【図７】本明細書で説明する様々な態様による例示的なコンピューティングデバイスのブロック図。
【図８】ＰＤＮ接続を確立すべきかどうかを判断する例示的なシステムのブロック図。
【図９】ＰＤＮ接続性パラメータを通信する例示的なシステムのブロック図。
【図１０】ＰＤＮ接続要求を送信する例示的なシステムのブロック図。
【図１１】本明細書に記載の様々な態様による例示的なワイヤレス通信システムのブロック図。
【図１２】本明細書で説明する様々なシステムおよび方法とともに採用され得る例示的なワイヤレスネットワーク環境の図。
【図１３】本明細書の態様が実装され得る、いくつかのデバイスをサポートするように構成された例示的なワイヤレス通信システムを示す図。
【図１４】ネットワーク環境内でフェムトセルの展開を可能にするための例示的な通信システムの図。
【図１５】いくつかの定義された追跡エリアを有するカバレージマップの例を示す図。
【発明を実施するための形態】
【００２８】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００２９】
本明細書でさらに説明するように、１つまたは複数のデバイスについてのパケットデータネットワーク（ＰＤＮ）接続性が管理され得る。たとえば、デバイスは、１つまたは複数のモバイルネットワーク構成要素から受信された１つまたは複数のパラメータに少なくとも部分的に基づいて、アクセスポイントからゲートウェイとのＰＤＮ接続性を要求または開始すべきかどうかを判断することができる。たとえば、１つまたは複数のパラメータは、１つまたは複数のアクセスポイントあるいはアクセスポイントのグループ（たとえば、限定加入者グループ）において、デバイスについてのＰＤＮ接続性が可能にされるかどうか、１つまたは複数のアクセスポイント名（ＡＰＮ）がＰＤＮ接続性を可能にするかどうかなどを指定することができる。デバイスは、拒否されたＰＤＮ接続の試みの一部などとして、１つまたは複数のコアモバイルネットワークノードから、サブスクリプション情報、限定加入者グループ（ＣＳＧ）サブスクリプション情報などの中で１つまたは複数のパラメータを受信することができる。したがって、デバイスは、それに応じて、デバイスからのＰＤＮ接続が場合によっては拒否される状況において不要なシグナリングを防ぐために、所与のアクセスポイントを使用して、および／または特定のＡＰＮを使用して、ＰＤＮ接続を要求または開始すべきかどうかを判断することができる。
【００３０】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００３１】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００３２】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３３】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ-Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、BLUETOOTH（登録商標）および任意の他の短距離または長距離ワイヤレス通信技法をしばしば使用するピアツーピア（たとえば、モバイルツーモバイル）アドホックネットワークシステムをさらに含み得る。
【００３４】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００３５】
図１を参照すると、例示的な通信システム１００のいくつかのノードが示されている。説明のために、本開示の様々な態様について、互いに通信する１つまたは複数のデバイス、アクセスポイント、およびネットワークノードに関して説明する。ただし、本明細書の態様は、他のタイプの装置、または他の用語を使用して参照される他の同様の装置に適用可能であり得ることを諒解されたい。たとえば、アクセスポイントは、基地局、ｅノードＢ（ｅＮＢ）、Ｈ（ｅ）ＮＢと総称される（たとえば、ＵＭＴＳにおける）ホームノードＢまたは（たとえば、ＬＴＥにおける）ホームｅＮＢ、フェムトセルまたはピコセルアクセスポイント、モバイル基地局、リレーノード、ホットスポット、ルータ、ゲートウェイなどと呼ばれることがあるか、またはそれらとして実装され得、デバイスは、ユーザ機器（ＵＥ）、モバイルデバイス、アクセス端末、モデム（または他のテザーデバイス）などと呼ばれることがあるか、またはそれらとして実装され得るか、あるいはそれらの一部分などであり得る。
【００３６】
デバイス１０２は、アクセスポイント１０４から１つまたは複数のサービス（たとえば、ネットワーク接続性）を受けることができる。デバイス１０２は、アクセスポイント１０４および／またはシステム１００の１つまたは複数のアクセスポイントによって与えられるカバレージエリア内に設置された、ならびに／あるいはカバレージエリア全体にわたって移動するワイヤードまたはワイヤレスデバイスであり得る。たとえば、様々な時点で、デバイス１０２は、ワイヤードまたはワイヤレスインターフェースを介してアクセスポイント１０４またはシステム１００中の何らかの他のアクセスポイント（図示せず）に接続することができる。これらのアクセスポイントの各々は、ワイドエリアネットワーク接続性を可能にするために、（たとえば、（１つまたは複数の）ネットワークノード１０６によって表される）１つまたは複数のネットワークノードと通信することができる。たとえば、ネットワークノード１０６は、モバイルネットワーク中の１つまたは複数の無線ネットワークノードおよび／またはコアネットワークノードを含むことができる。したがって、様々な例では、ネットワークノード１０６は、（たとえば、運用、アドミニストレーション、管理（ＯＡＭ）、および／またはプロビジョニング（provisioning）エンティティによる）ネットワーク管理、呼制御、セッション管理、モビリティ管理、サブスクリプション管理、ゲートウェイ機能、インターワーキング機能のうちの少なくとも１つなどの機能、または何らかの他の好適なネットワーク機能を表すことができる。ネットワークノード１０６は、モビリティ管理エンティティ（ＭＭＥ）、サービング汎用パケット無線サービス（ＧＰＲＳ）サポートノード（ＳＧＳＮ：serving general packet radio services (GPRS) support node）、モバイル交換センター（ＭＳＣ）、ビジターロケーションレジスタ（ＶＬＲ）などであり得るモビリティマネージャ１０８、ホーム加入者サーバ（ＨＳＳ）、ホームロケーションレジスタ（ＨＬＲ）などであり得るサブスクリプションサーバ１１０などを含むことができ、それらは、デバイス１０２によってアクセス可能な１つまたは複数のＰＬＭＮの一部であり得る。
【００３７】
場合によっては、デバイス１０２は、ワイヤレスセルセットに関連付けられた限定グループアクセスポイント（たとえば、アクセスポイント１０４）にアクセスすることができる。概して、ワイヤレスセルセットは、定義された関係を有する、（たとえば、アクセスポイント１０４など、少なくとも１つのアクセスポイントによって与えられる）１つまたは複数のセルのセットを備える。ワイヤレスセルセットの一例はＣＳＧである。便宜のために、以下の説明では、ワイヤレスセルセットというより一般的な用語ではなく、単にＣＳＧという用語に言及することがある。ただし、説明する概念が、ワイヤレスセルまたは他の同様のエンティティの他のタイプの定義されたセットまたはグループ（たとえば、限定グループ）に適用可能であり得ることを諒解されたい。また、限定グループは、本明細書で説明する態様が同様に適用することができる、非メンバーへの低いアクセスレベルを提供することができる（これをハイブリッドモードアクセスと呼ぶか、またはグループ内のセルをハイブリッドセルと呼ぶことがある）。さらに、アクセスポイント１０４などのアクセスポイントは、デバイスがアクセスポイントと通信することができる１つまたは複数のセルを提供することができることを諒解されたい。
【００３８】
図示のように、アクセスポイント１０４は、インターネット１１４にアクセスするためにルータ１１２または他のデバイスに結合され得、アクセスポイント１０４は、デバイス１０２がインターネット１１４を介してネットワークノード１０６と通信することを可能にすることができる。別の例では、アクセスポイント１０４は、直接ブロードバンド接続を使用して（たとえば、モデムを介して）インターネット１１４に接続することができる。さらに、たとえば、アクセスポイント１０４は、１つまたは複数のローカルネットワークデバイス１１８および１２０とアクセスポイント１０４との間の通信、ルータ１１２へのアクセスなどを可能にする、ローカルゲートウェイであり得るゲートウェイ１１６に結合され得る。図示された例ではアクセスポイント１０４と共同設置されるものとして示されているが、ゲートウェイ１１６は、アクセスポイント１０４内への実装、アクセスポイント１０４とは別個のエンティティとしての実装などが可能であることを諒解されたい。さらに、たとえば、ルータ１１２は、同様に、アクセスポイント１０４および／またはゲートウェイ１１６との共同設置、アクセスポイント１０４内への実装などが可能である。いずれの場合も、アクセスポイント１０４は、デバイス１０２にモバイルネットワークアクセスを提供するために、モバイルネットワーク中のノードに宛てられた、デバイス１０２からの通信を受信することができ、ルータ１１２を通して、およびインターネット１１４を介して通信をネットワークノード１０６にフォワーディングすることができる。たとえば、通信は、１つまたは複数の通信トンネルに関連付けられ得、アクセスポイント１０４は、１つまたは複数の通信トンネルに基づいて（たとえば、パケットヘッダ中のトンネル識別子、宛先アドレスなど、１つまたは複数のパラメータに基づいて）、パケットがネットワークノード１０６のうちの１つまたは複数に宛てられたと判断することができる。
【００３９】
たとえば、デバイス１０２とゲートウェイ１１６との間の通信を可能にするために、アクセスポイント１０４とデバイス１０２との間に無線ベアラが確立され得る。たとえば、（たとえば、無線ベアラを確立する前に、確立した後に、および／または確立することの一部として）ゲートウェイ１１６と、（１つまたは複数の）ネットワークノード１０６のうちの１つまたは複数など、モバイルネットワークの別の構成要素との間に第１のモバイルネットワークベアラが確立され得、ならびにアクセスポイント１０４とモバイルネットワークの他の構成要素との間に第２のモバイルネットワークベアラが確立され得る。したがって、一例では、ゲートウェイ１１６に宛てられた、デバイス１０２に関係する通信は、アクセスポイント１０４からモバイルネットワークの他の構成要素を横断して（たとえば、ルータ１１２およびインターネット１１４を介して）ゲートウェイ１１６に到着することができる。
【００４０】
さらに、一例では、アクセスポイント１０４は、ネットワークノード１０６上の負荷を減少させること、ローカルネットワークリソースへのアクセスを提供することなどのうちの少なくとも１つを可能にするために、ＰＤＮ接続性を提供し得る。たとえば、アクセスポイント１０４は、ネットワークノード１０６を横断することなしに、ローカルインターネットプロトコル（ＩＰ）構成要素へのアクセスを可能にすること、１つまたは複数のデバイスからインターネット１１４への接続にトラフィックをオフロードすることなどのために、ローカルＩＰアクセス（ＬＩＰＡ）、選択ＩＰトラフィックオフロード（ＳＩＰＴＯ）などを１つまたは複数のデバイスに提供し得る。アクセスポイント１０４がＰＤＮ接続性を提供する場合、たとえば、デバイス１０２は、（１つまたは複数の）ネットワークノード１０６のいずれをも横断することなしに、ローカルゲートウェイ１１６を使用して、ルータ１１２、ローカルネットワークデバイス１１８および／または１２０などに直接アクセスすることができる。この例では、デバイス１０２は、デバイス１０２がＰＤＮ接続を開始することを可能にされることを保証するために、最初にモビリティマネージャ１０８によって受信され得る、アクセスポイント１０４へのＰＤＮ接続を開始することができる。デバイス１０２がアクセスポイント１０４とのＰＤＮ接続性を開始することを許可された場合、アクセスポイント１０４とゲートウェイ１１６との間に、デバイス１０２が、ルータ１１２、ローカルネットワークデバイス１１８および／または１２０など、１つまたは複数のノードと通信することを可能にするためのＰＤＮベアラまたは他の通信トンネルが確立され得る。一例では、デバイス１０２とアクセスポイント１０４との間の無線ベアラを介して受信されたデータが、アクセスポイント１０４とゲートウェイ１１６との間のＰＤＮベアラを介して送られ得、同様に、デバイス１０２に宛てられた通信が、ルータ１１２、ローカルネットワークデバイス１１８および／または１２０などから受信され得、ゲートウェイ１１６は、アクセスポイント１０４とのＰＤＮベアラを介して通信をデバイス１０２に転送することができる。
【００４１】
たとえば、ゲートウェイ１１６は、さらに、それらの間でリソースの共有を行うこと、ルータ１１２を介してインターネット１１４にアクセスすることなどのために、ローカルネットワークデバイス１１８および１２０と通信する。たとえば、ローカルネットワークデバイス１１８および１２０は、ローカルエリアネットワーク（ＬＡＮ）デバイスまたはワイヤレスＬＡＮ（ＷＬＡＮ）デバイス（たとえば、コンピュータ、サーバ、プリンタ、デジタルビデオレコーダ（ＤＶＲ）、モバイルデバイス、それの一部分、あるいはプロセッサ（またはプロセッサへのアクセス）とネットワークインターフェースとをもつ実質的に任意のデバイスなど）など、ネットワーク中で通信するように動作可能な実質的に任意のデバイスであり得る。さらに、アクセスポイント１０４はゲートウェイ１１６に結合されるので、たとえば、アクセスポイント１０４は、ローカルネットワークデバイス１１８および１２０をもつローカルネットワークに参加し、したがって、ローカルネットワーク中のローカルネットワークデバイス１１８および／または１２０によって提供されたリソースまたはサービスにアクセスすることができ、ならびに／あるいはアクセスポイント１０４に関係するリソースへのアクセスを可能にするかまたはそれにサービスを提供することができる。別の例では、ローカルネットワークデバイス１１８および１２０はルータ１１２に接続され得、ルータ１１２は同様にそれらへのアクセスを提供することができる。
【００４２】
この点について、ゲートウェイ１１６は、アクセスポイント１０４がデバイス１０２についてのゲートウェイ１１６とのＬＩＰＡベアラを確立することができるＬＩＰＡの形態でＰＤＮ接続性を提供することができる。この例では、デバイス１０２などのデバイスは、ローカルネットワークのサービスまたはリソースにアクセスすること、アクセスポイント１０４を介してデバイスのサービスまたはリソースへのアクセスをローカルネットワークデバイス１１８および１２０に提供することなどのうちの少なくとも１つなどのアクションを、ネットワークノード１０６またはモバイルネットワークの同様のノードを横断することなしにアクセスポイント１０４を介してゲートウェイ１１６を通して実行することができる。ゲートウェイ１１６はまた、説明したように、通信をデバイス１０２からアクセスポイント１０４を介してルータ１１２にオフロードすることによって、ＳＩＰＴＯの形態のＰＤＮ接続性を提供することができる。
【００４３】
たとえば、アクセスポイント１０４は、デバイス１０２への、または任意のデバイスへのＰＤＮ接続性を可能にすることも可能にしないこともあり、および／またはいくつかのＡＰＮについてのＰＤＮ接続性を提供し得る。本明細書でさらに説明するように、デバイス１０２は、アクセスポイント１０４から、アクセスポイント１０４を含み得る１つまたは複数のＣＳＧから、アクセスポイント１０４を含み得る１つまたは複数のネットワーク（たとえば、パブリックランドモバイルネットワーク（ＰＬＭＮ））から、および／またはＰＤＮ接続を開始するために使用され得る１つまたは複数のＡＰＮを使用して、デバイス１０２がゲートウェイ１１６へのＰＤＮ接続を開始することができるかどうかを指定するＰＤＮ接続性パラメータ１２２を受信することができる。たとえば、デバイス１０２は、（たとえば、サブスクリプションサーバ１１０から）サブスクリプション情報および／またはＣＳＧサブスクリプション情報の一部として、（たとえば、モビリティマネージャ１０８から）アクセスポイント１０４とのＰＤＮ接続を開始するときなどに、ＰＤＮ接続性パラメータ１２２を受信することができる。デバイス１０２がアクセスポイント１０４を通して、いくつかのＡＰＮなどを使用してＰＤＮ接続を開始することができないことをＰＤＮ接続性パラメータ１２２が示す場合、デバイス１０２はＰＤＮ接続を要求することを控えることができ、不要なシグナリングを軽減することができる。
【００４４】
さらに、デバイス１０２がＰＤＮ接続をアクセスポイント１０４に要求することができない場合、デバイス１０２は代替アクションを判断することができる。さらに、たとえば、本明細書でさらに説明するように、デバイス１０２は、アクセスポイント１０４への拒否されたＰＤＮ接続の試みの一部としてモビリティマネージャ１０８からＰＤＮ接続パラメータを受信することができる。これらのＰＤＮ接続性パラメータは、たとえば、デバイス１０２が（たとえば、いくつかのＡＰＮに関係するかまたはそれ以外の）ＰＤＮ接続を要求することができないＣＳＧまたはＰＬＭＮを指定することができる。さらに、（たとえば、ＬＴＥネットワークにおいて）ＰＤＮ接続を確立することに関して説明するが、本明細書で説明する態様が（たとえば、ＵＭＴＳネットワークにおいて）パケットデータプロトコル（ＰＤＰ）コンテキストを確立することに同様に適用され得ることを諒解されたい。
【００４５】
図２を参照すると、ワイヤレスネットワークにおいてＰＤＮ接続を開始すべきかどうかを判断することを可能にする例示的なワイヤレス通信システム２００が示されている。システム２００は、モバイルネットワークへのアクセスを受信するために１つまたは複数のアクセスポイントと通信することができるデバイス２０２と、１つまたは複数のデバイスにオープンアクセスまたは限定アクセスあるいはそれらの組合せを提供するアクセスポイント１０４と、１つまたは複数のネットワークと通信することを可能にするゲートウェイ１１６とを含むことができる。システム２００はまた、説明したように、アクセスポイント１０４またはゲートウェイ１１６とインターネット１１４との間の通信を可能にすることができるルータ１１２、ならびにゲートウェイ１１６に結合され得るネットワークデバイス１１８を備える。さらに、システム２００は、デバイスに関係するサブスクリプション情報を提供するサブスクリプションサーバ２０４と、１つまたは複数のデバイスが１つまたは複数のコアネットワーク構成要素と通信することを認証するモビリティマネージャ２０６とを備える。
【００４６】
一例では、デバイス２０２は、説明したように、ＵＥ、モデム（または他のテザーデバイス）、それの一部分などであり得、アクセスポイント１０４は、フェムトセル、ピコセル、Ｈ（ｅ）ＮＢ、または同様のアクセスポイント、それの一部分などであり得る。さらに、たとえば、ゲートウェイ１１６は、限定はしないが、サービングゲートウェイ（Ｓ−ＧＷ）、パケットデータネットワーク（ＰＤＮ）ゲートウェイ（Ｐ−ＧＷ）、ゲートウェイＧＰＲＳサポートノード（ＧＧＳＮ）など、実質的に任意のゲートウェイまたはルータであり得、モビリティマネージャ２０６は、ＭＭＥ、ＳＧＳＮ、ＭＳＣ、ＶＬＲ、または同様のノードであり得る。さらに、説明したように、ゲートウェイ１１６は、別の例ではアクセスポイント１０４内に共同設置され、および／または実装され得る。サブスクリプションサーバ２０４は、ＨＳＳ、ＨＬＲ、または同様の構成要素であり得る。さらに、アクセスを可能にするために、示したものの間に追加の構成要素またはノードが存在し得ることを諒解されたい（たとえば、アクセスポイント１０４とゲートウェイ１１６との間、アクセスポイント１０４とモビリティマネージャ２０６との間、モビリティマネージャ２０６とサブスクリプションサーバ２０４との間などに、１つまたは複数のゲートウェイあるいはルータが存在し得る）。
【００４７】
説明したように、一例では、アクセスポイント１０４は、（たとえば、最初にＰＤＮ接続を確立する際のデバイス２０２の認証のため以外に）モビリティマネージャ２０６など、モバイルネットワークのコア構成要素を横断することなしに、ゲートウェイ１１６を通してネットワークデバイス１１８と通信するための、ゲートウェイ１１６とのＬＩＰＡの形態、インターネット１１４を介して通信するためにパケットをルータ１１２にオフロードするための、ゲートウェイ１１６とのＳＩＰＴＯの形態などで、ＰＤＮ接続性をデバイス２０２に提供することができる。しかしながら、一例では、上記で説明したように、アクセスポイント１０４は、所与のデバイスについて、ＰＤＮ接続を可能にしないこと、いくつかのＡＰＮについてＰＤＮ接続を可能にすることなどがある。
【００４８】
デバイス２０２は、モバイルネットワークの１つまたは複数のコア要素からＰＤＮ接続性パラメータを取得するためのパラメータ受信構成要素２０８と、ＰＤＮ接続を開始することについての要求を取得するためのＰＤＮ要求判断構成要素２１０と、ＰＤＮ接続性パラメータに少なくとも部分的に基づいて、アクセスポイントとのＰＤＮ接続を開始すべきかどうかを判断するためのＰＤＮ接続要求構成要素２１２とを備えることができる。サブスクリプションサーバ２０４は、サブスクリプション情報をデバイスに通信するためのサブスクリプションデータ構成要素２１４を備えることができる。モビリティマネージャ２０６は、デバイスからＰＤＮ接続要求を取得するためのＰＤＮ接続要求受信構成要素２１６、デバイスがアクセスポイントとのＰＤＮ接続を確立することを許可されるかどうかを判断するためのＰＤＮ接続性判断構成要素２１８、および／またはＰＤＮ接続要求に少なくとも部分的に基づいてＰＤＮ接続性パラメータをデバイスに通信するためのＰＤＮ接続性指示構成要素２２０を随意に含むことができる。
【００４９】
一例によれば、デバイス２０２は、説明したように、モバイルネットワークへのアクセスを受信するためにアクセスポイント１０４と通信することができる。一例では、モバイルネットワークアクセスをアクセスポイント１０４に要求すると、アクセスポイント１０４は、ルータ１１２とインターネット１１４とを通して、モビリティマネージャ２０６および／またはサブスクリプションサーバ２０４など、１つまたは複数のコアネットワーク構成要素と通信することができる。たとえば、モビリティマネージャ２０６は、モバイルネットワークにおいてデバイス２０２が通信することを認証するために利用され得る。さらに、サブスクリプションデータ構成要素２１４は、デバイス２０２に対応する、デバイス２０２に通信するためのサブスクリプション情報を取り出すことができる。サブスクリプション情報は、デバイス２０２についての一般的なサブスクリプション情報、デバイス２０２がメンバーであるＣＳＧに関係するＣＳＧサブスクリプション情報などであり得る。さらに、たとえば、サブスクリプションデータ構成要素２１４は、デバイス２０２サブスクリプション情報またはＣＳＧサブスクリプション情報の一部としてＰＤＮ接続性パラメータ２２２を通信することができる。たとえば、サブスクリプションサーバ２０４は、アクセスポイント１０４との接続を介して（たとえば、インターネット１１４、ルータ１１２などを通して）、たとえば、サブスクリプション情報とともに、またはそれの一部としてＰＤＮ接続性パラメータ２２２をデバイス２０２に通信することができる。
【００５０】
説明したように、ＰＤＮ接続性パラメータ２２２は、いくつかのアクセスポイント、アクセスポイントのセット（たとえば、同じＣＳＧ、ＰＬＭＮなどに対応するアクセスポイント）などが、ローカルゲートウェイ、たとえばゲートウェイ１１６へのＰＤＮ接続を可能にするかどうか、アクセスポイント、ＣＳＧ、ＰＬＭＮなどにおいてＰＤＮ接続が可能にされるＡＰＮなどに関係することができ、デバイス２０２に固有であり得る。説明したように、たとえば、ゲートウェイ１１６は、本明細書で説明する１つまたは複数のパラメータに応じて、ルータ１１２、ネットワークデバイス１１８などへのアクセス、および／またはアクセスポイント１０４との間のアクセスを可能にするローカルゲートウェイであり得る。したがって、たとえば、ＰＤＮ接続性パラメータ２２２は、デバイス２０２がローカルゲートウェイへのＰＤＮ接続（たとえば、ＬＩＰＡおよび／またはＳＩＰＴＯ  ＰＤＮ接続）をそこから開始することができるアクセスポイントの（たとえば、識別子による）リストを含むことができる。別の例では、ＰＤＮ接続性パラメータ２２２は、デバイス２０２がそれとのＰＤＮ接続を開始することができるＣＳＧの（たとえば、識別子による）リストを含むことができる。さらに別の例では、ＰＤＮ接続性パラメータ２２２は、デバイスがＰＤＮ接続を開始することができる、リスト中の各アクセスポイントまたはＣＳＧについてのＡＰＮのリストを含むことができる。
【００５１】
別の例では、ＰＤＮ接続性パラメータ２２２は、デバイス２０２が所与のリストアイテムについてのＰＤＮ接続を開始することができるかどうかを指定する、リスト中の１つまたは複数のパラメータなど、リストの拡張であり得る。したがって、たとえば、ＰＤＮ接続性パラメータ２２２は、ＣＳＧについてのローカルゲートウェイへのＰＤＮ接続が可能にされるかどうか、および／またはＰＤＮ接続のどのタイプが可能にされるか（たとえば、ＬＩＰＡ、ＳＩＰＴＯなど）を指定する、ＣＳＧサブスクリプション情報に記載されている１つまたは複数のＣＳＧについてのインジケータを含むことができる。したがって、別の例では、ＰＤＮ接続性パラメータ２２２は、ＣＳＧサブスクリプション情報に記載されている、ＰＤＮ接続（またはいくつかのタイプのＰＤＮ接続）が可能にされる、各ＣＳＧに関係するＡＰＮのリストなどであり得る。この場合も、ＡＰＮのリストは、ＰＤＮ接続が可能にされるＡＰＮについてのインジケータをもつすべてのＡＰＮのリスト、ＰＤＮ接続が可能にされるＡＰＮのリストなどであり得る。
【００５２】
いずれの場合も、パラメータ受信構成要素２０８は、１つまたは複数のインスタンスにおいてＰＤＮ接続を要求すべきかどうかを判断するためのＰＤＮ接続性パラメータ２２２を取得することができる。別の例では、パラメータ受信構成要素２０８は、１つまたは複数の他のコアモバイルネットワーク構成要素から、（たとえば、１つまたは複数の対応するアクセスポイント、ＣＳＧなどについてのＰＤＮ接続性パラメータを含むオープンモバイルアライアンス（ＯＭＡ）デバイス管理（ＤＭ）プロシージャなどの一部として）ＰＤＮ接続性パラメータ２２２を取得することができる。たとえば、ＰＤＮ要求判断構成要素２１０は、デバイス２０２、デバイス２０２を利用するシステム（たとえば、デバイス２０２がモデムであるコンピュータ）内などから、ＰＤＮ接続についての要求を取得することができる。この例では、ＰＤＮ接続要求構成要素２１２は、ＰＤＮ接続性パラメータ２２２に少なくとも部分的に基づいて、アクセスポイントからＰＤＮ接続を開始すべきかどうかを判断すること、ＰＤＮ接続をアクセスポイントに要求するために利用すべきＡＰＮを判断することなどが可能である。
【００５３】
たとえば、デバイス２０２は、モバイルネットワークにアクセスするための、アクセスポイント１０４へのアクティブモード接続、モバイルネットワークからページング信号を受信するための、アクセスポイント１０４へのアイドルモード接続などを含むことができる、アクセスポイント１０４と通信することができる。ＰＤＮ要求判断構成要素２１０がローカルゲートウェイへのＰＤＮ接続性についての要求を取得すると、ＰＤＮ接続要求構成要素２１２は、ＰＤＮ接続性パラメータ２２２に基づいて、ローカルゲートウェイ（たとえば、ゲートウェイ１１６）へのＰＤＮ接続性をアクセスポイント１０４に要求すべきかどうかを判断することができる。たとえば、アクセスポイント１０４がローカルゲートウェイへのＰＤＮ接続を可能にしないことをＰＤＮ接続性パラメータ２２２が指定する場合、ＰＤＮ接続要求構成要素２１２はＰＤＮ接続を要求することを控えることができる。この例では、デバイス２０２は、許可される場合、ＰＤＮ接続を１つまたは複数の隣接アクセスポイント（図示せず）に要求することなど、代替アクションをとることができる。アクセスポイント１０４がローカルゲートウェイへのＰＤＮ接続を可能にすることをＰＤＮ接続性パラメータ２２２が指定する場合、ＰＤＮ接続要求構成要素２１２は、説明したように、ＰＤＮ接続性要求（たとえば、ＬＩＰＡ  ＰＤＮ接続性要求、ＳＩＰＴＯ  ＰＤＮ接続性要求など）をアクセスポイント１０４に送信することによって、アクセスポイント１０４とのＰＤＮ接続を開始することができる。
【００５４】
より具体的な例では、ＰＤＮ接続要求構成要素２１２は、デバイス２０２がローカルゲートウェイへのＰＤＮ接続をアクセスポイント１０４に関係するＣＳＧまたはＰＬＭＮのアクセスポイントに要求することを可能にされるかどうかを判断することができる。たとえば、デバイス２０２は、アクセスポイント１０４のＣＳＧまたはＰＬＭＮと通信することによってそれらの指示を受信することができ、ＰＤＮ接続要求構成要素２１２は、ＣＳＧまたはＰＬＭＮについてのＰＤＮ接続（たとえば、またはＬＩＰＡ、ＳＩＰＴＯなど、いくつかのタイプのＰＤＮ接続）が可能にされることをＰＤＮ接続性パラメータ２２２が指定するかどうかを判断することができる。したがって、ＰＤＮ接続要求構成要素２１２は、アクセスポイント１０４を介してゲートウェイ１１６へのＰＤＮ接続を開始すること、または開始することを控えることができる。
【００５５】
さらに別の例では、ＰＤＮ要求判断構成要素２１０は、要求されたＰＤＮ接続に関係するＡＰＮを取得することができる。したがって、ＰＤＮ接続要求構成要素２１２は、ＰＤＮ接続性パラメータ２２２に少なくとも部分的に基づいて、アクセスポイント１０４において、対応するＣＳＧまたはＰＬＭＮなどにおいて、ＡＰＮについてのＰＤＮ接続が可能にされるかどうかを判断することができる。したがって、ＰＤＮ接続要求構成要素２１２は、ＰＤＮ接続を開始すること、または開始することを控えることができる。
【００５６】
別の例では、ＰＤＮ要求判断構成要素２１０がローカルゲートウェイへのＰＤＮ接続についての要求を取得することに基づいて、ＰＤＮ接続要求構成要素２１２は、アクセスポイント１０４とのＰＤＮ接続を要求する際に指定するためのＡＰＮを選択することができる。たとえば、ＰＤＮ接続要求構成要素２１２は、アクセスポイント１０４においてＰＤＮ接続（たとえば、および／またはいくつかのタイプのＰＤＮ接続）が可能にされる１つまたは複数のＡＰＮを判断することができる。たとえば、これは、アクセスポイント１０４において、アクセスポイント１０４がメンバーであるＣＳＧにおいて、アクセスポイント１０４のＰＬＭＮなどにおいて、デバイス２０２についてのＰＤＮ接続性を可能にすることに関係するＰＤＮ接続性パラメータ２２２中で指定された１つまたは複数のＡＰＮをＰＤＮ接続要求構成要素２１２が判断することを含むことができる。したがって、ＰＤＮ接続要求構成要素２１２は、ＰＤＮ接続についての要求（たとえば、および／またはＰＤＮ接続についての要求中で指定されたＰＤＮ接続のタイプ）に少なくとも部分的に基づいて、ＰＤＮ接続を要求する際に指定すべきＡＰＮを選択することができる。
【００５７】
さらに、一例では、ＰＤＮ接続性パラメータ２２２は、異なるレベルのＰＤＮ接続性を指定することができ、ＰＤＮ接続要求構成要素２１２は、ＰＤＮ接続性のレベルに基づいて、アクセスポイント１０４から、ゲートウェイ１１６など、ローカルゲートウェイへのＰＤＮ接続を開始すべきかどうかをさらに判断することができる。たとえば、ＰＤＮ接続性パラメータ２２２がＬＩＰＡに対応する場合、アクセスポイント１０４を介してＬＩＰＡが可能にされるかどうかの指示は、ＬＩＰＡ専用、ＬＩＰＡ条件付き、またはＬＩＰＡ禁止など、許容のレベルに対応することができる。たとえば、許容のレベルは、ＰＤＮ接続性パラメータ２２２中の、アクセスポイント１０４、アクセスポイント１０４のＣＳＧ、アクセスポイント１０４のＰＬＭＮなどに関係する１つまたは複数のＡＰＮに関連することができる。この例では、ＡＰＮについてＬＩＰＡ禁止が指定された場合、ＰＤＮ接続要求構成要素２１２は、アクセスポイント１０４を使用して（たとえば、ＰＤＮ要求判断構成要素２１０において受信された）関係するＡＰＮについてのＰＤＮ接続を確立することを控えることができる。別の例では、ＬＩＰＡ条件付きが指定された場合、ＰＤＮ接続要求構成要素２１２はそれぞれの条件が満たされない場合はアクセスポイント１０４を使用してＰＤＮ接続を確立することを控えることができる。一例では、条件は、デバイス２０２のロケーション、デバイス２０２が通信しているネットワーク（たとえば、ゲートウェイ１１６に関係するネットワーク）または関係するアドレスなどに関係することができる。
【００５８】
さらに、たとえば、ＰＤＮ要求判断構成要素２１０が、ＡＰＮが指定されない、ＰＤＮ接続についての要求を取得した場合、ＰＤＮ接続要求構成要素２１２は、ＰＤＮ接続性を要求するためにＬＩＰＡ専用（たとえば、または条件が指定される限り、ＬＩＰＡ条件付き）が指定されたＡＰＮがＰＤＮ接続性パラメータ２２２中に存在する場合、ＰＤＮ接続性パラメータ２２２中のそのようなＰＤＮを選択することができる。
【００５９】
別の例では、アクセスポイント１０４がデバイス２０２からアクセスポイント１０４へのＰＤＮ接続を可能にしないことがある場合、ＰＤＮ接続要求構成要素２１２はそのような接続を開始しようと試みることができる。たとえば、デバイス２０２は、ＰＤＮ接続性パラメータ２２２を用いてプロビジョニングされていないこと、間違ってプロビジョニングされていることなどがあり得る。別の例では、ＰＤＮ接続性パラメータ２２２は、タイマーの満了、デバイス２０２の電源切断、デバイス２０２からの加入者識別モジュール（ＳＩＭ）カードの取り外しに少なくとも部分的に基づいて、デバイス２０２が１つまたは複数の他のアクセスポイントと通信すること、および／あるいは他のイベントまたはトリガに基づいて、（たとえば、ＰＤＮ接続要求構成要素２１２または別の構成要素によって）デバイス２０２から削除され得る。いずれの場合も、アクセスポイント１０４は、ＰＤＮ接続についてデバイス２０２を認証するために、デバイス２０２に代わってモビリティマネージャ２０６と通信することができる。たとえば、ＰＤＮ接続要求受信構成要素２１６は、アクセスポイント１０４からデバイス２０２のＰＤＮ接続要求を取得することができる。
【００６０】
この例では、ＰＤＮ接続性判断構成要素２１８は、（たとえば、要求中で指定されたＡＰＮに基づいて）たとえば、ＰＤＮ接続性についての要求であると判断することができる。たとえば、ＰＤＮ接続性判断構成要素２１８は、アクセスポイント１０４についての受信された情報に少なくとも部分的に基づいて、要求中のＡＰＮがＰＤＮ接続性ＡＰＮであると判断することができる。したがって、ＰＤＮ接続性判断構成要素２１８はまた、デバイス２０２がアクセスポイント１０４においてローカルゲートウェイへのＰＤＮ接続を開始することを許可されるかどうかを判断することができる。これは、（たとえば、モバイルネットワーク上のデバイス２０２初期化中に）デバイス２０２についての受信されたＰＤＮ接続性パラメータ２２４、アクセスポイント１０４またはアクセスポイント管理サーバから受信され得るＰＤＮ接続性パラメータ２２４、デバイス２０２がＰＤＮ接続性をアクセスポイント１０４に要求することを可能にされないというアクセスポイント１０４からの指示などに少なくとも部分的に基づくことができる。たとえば、以下で説明するように、ＰＤＮ接続性パラメータ２２４はＰＤＮ接続性パラメータ２２２とは異なることがあるが、依然としてデバイス２０２がいくつかのアクセスポイント、ＣＳＧ、ＰＬＭＮなどとのＰＤＮ接続性を要求することができるかどうかに関係する情報を示している。
【００６１】
いずれの場合も、デバイス２０２がアクセスポイント１０４を使用して、ゲートウェイ１１６など、ローカルゲートウェイへのＰＤＮ接続を開始することを可能にされないとＰＤＮ接続性判断構成要素２１８が判断した場合、ＰＤＮ接続性指示構成要素２２０は、デバイス２０２がアクセスポイント１０４を使用してＰＤＮ接続を開始することができないという指示とともにデバイス２０２へのＰＤＮ接続性パラメータ２２４を指定することができる。ＰＤＮ接続性パラメータ２２４は、たとえば、デバイス２０２が、アクセスポイント１０４、アクセスポイント１０４と同じＣＳＧ中のいずれかのアクセスポイント、アクセスポイント１０４と同じＰＬＭＮ中のいずれかのアクセスポイントなどを使用してＰＤＮ接続を開始することを許可されないことを指定することができる。たとえば、ＰＤＮ接続性パラメータ２２４は、固有のＣＳＧ識別子および／またはＰＬＭＮ識別子と、デバイス２０２が、ＣＳＧ識別子またはＰＬＭＮ識別子を広告しているかまたは場合によってはそれらに関係するアクセスポイントからＰＤＮ接続を開始することができないという指示とを含むことができる。
【００６２】
一例では、ＰＤＮ接続性指示構成要素２２０は、１つまたは複数の非アクセス層（ＮＡＳ）メッセージを使用して、ＰＤＮ接続性パラメータ２２４をデバイスに通信することができる。一例では、ＰＤＮ接続性パラメータ２２４は、デバイス２０２からのＰＤＮ接続性要求を拒否するための、１つまたは複数のＮＡＳメッセージ中の原因コードに対応することができる。一例では、ＰＤＮ接続要求構成要素２１２は、原因コードを取得することができ、ＰＤＮ接続性パラメータ２２４を判断することができる。たとえば、原因コードは、デバイス２０２がアクセスポイント１０４のＣＳＧ中またはＰＬＭＮ中のいかなるアクセスポイントを使用してもローカルゲートウェイへのＰＤＮ接続を確立することができないことを示すことができる。この例では、ＰＤＮ接続要求構成要素２１２は、１つまたは複数の他のアクセスポイントを使用してＰＤＮ接続を試みるべきかどうかを判断する際に１つまたは複数の他のアクセスポイントと後で比較するために、アクセスポイント１０４に関係するＣＳＧ識別子および／またはＰＬＭＮ識別子を記憶することができる。パラメータ受信構成要素２０８はＰＤＮ接続性パラメータ２２４を取得することができ、ＰＤＮ接続要求構成要素２１２は、ＰＤＮ接続性パラメータ２２２に関して上記で説明したように、１つまたは複数の他のアクセスポイントを使用してＰＤＮ接続を開始すべきかどうかを後で判断する際にＰＤＮ接続性パラメータ２２４を利用することができる。
【００６３】
たとえば、別のアクセスポイント（図示せず）と通信するとき、ＰＤＮ接続要求構成要素２１２は、他のアクセスポイントがアクセスポイント１０４と同じＣＳＧ中にあるかまたはアクセスポイント１０４と同じＰＬＭＮの一部であるかどうかを判断することができ、そうである場合、ＣＳＧまたはＰＬＭＮにおいてＰＤＮ接続が可能にされないことを示すＰＤＮ接続性パラメータ２２４に少なくとも部分的に基づいて、ＰＤＮ接続要求構成要素２１２は、それへのＰＤＮ接続を開始することを控えることができる。一例では、ＰＤＮ接続性パラメータ２２４は、デバイス２０２、アクセスポイント１０４、１つまたは複数のＣＳＧまたはＰＬＭＮなどに関係する、ＰＤＮ接続性パラメータ２２２であり得るか、あるいはそれと同様またはそれのサブセットであり得る。さらに、ＰＤＮ接続性パラメータ２２２に関して説明したように、デバイス２０２は、１つまたは複数のイベントまたはトリガに少なくとも部分的に基づいてＰＤＮ接続性パラメータ２２４を削除することができる。
【００６４】
図３〜図５を参照すると、ワイヤレスネットワークにおいてＰＤＮ接続を開始すべきかどうかを判断することに関する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００６５】
図３を参照すると、アクセスポイントへのＰＤＮ接続を開始すべきかどうかを判断することを可能にする例示的な方法３００が表示されている。３０２において、１つまたは複数のアクセスポイントにおいてローカルゲートウェイへのＰＤＮ接続性が可能にされるかどうかを指定する１つまたは複数のパラメータを受信する。たとえば、１つまたは複数のパラメータは、ネットワーク構成要素から、アクセスポイントなどを使用してＰＤＮ接続についての要求を拒否するＮＡＳメッセージの一部として受信されたサブスクリプション情報、ＣＳＧサブスクリプション情報などの中で受信されたＰＤＮ接続性パラメータに対応することができる。さらに、１つまたは複数のパラメータは、アクセスポイントにおいて、ＣＳＧに関係するアクセスポイントにおいて、ＰＬＭＮに関係するアクセスポイントなどにおいて、ＰＤＮ接続が可能にされるかどうかを指定するインジケータに対応することができ、デバイス固有であり得る。さらに、１つまたは複数のパラメータは、ローカルゲートウェイへのＰＤＮ接続性のレベル（たとえば、ＬＩＰＡ専用、ＬＩＰＡ条件付き、ＬＩＰＡ禁止など）を示すことができる。
【００６６】
３０４において、１つまたは複数のアクセスポイントのうちの少なくとも１つに接続されている間、ローカルゲートウェイへのＰＤＮ接続を確立したいという要求を受信する。一例では、要求は、少なくとも１つのアクセスポイントにおいてＰＤＮ接続を確立する際に利用すべきＡＰＮを指定することができる。別の例では、ＡＰＮは、ＰＤＮ接続についての要求であると判断することに少なくとも部分的に基づいて（たとえば、ＡＰＮについてのＰＤＮ接続が可能にされることを指定する１つまたは複数のパラメータ中の１つまたは複数のＡＰＮを判断したことに基づいて）選択され得る。３０６において、１つまたは複数のパラメータに少なくとも部分的に基づいて、１つまたは複数のアクセスポイントのうちの少なくとも１つを使用してローカルゲートウェイへのＰＤＮ接続を開始すべきかどうかを判断する。たとえば、説明したように、これは、１つまたは複数のパラメータに基づいて、（たとえば、アクセスポイントへの、アクセスポイントに関係するＣＳＧへの、アクセスポイントに関係するＰＬＭＮへの、指定されたＡＰＮについてのなど）ＰＤＮ接続が可能にされるかどうかを判断することと、可能にされる場合、ＰＤＮ接続を開始することを判断することとを含むことができる。別の例では、可能にされない場合、３０６において、ＰＤＮ接続を開始しないことを判断する。ＡＰＮに関係するアクセスポイント、ＣＳＧ、ＰＬＭＮなどについてのＰＤＮ接続が可能にされるかどうかを１つまたは複数のパラメータが指定しない場合、説明したように、一例では、ＰＤＮ接続が試みられ得、可能にされない場合、拒否とともにＰＤＮ接続パラメータが受信され得る。別の例では、ＰＤＮ接続が可能にされるかどうかを１つまたは複数のパラメータが指定しない場合、３０６において、ＰＤＮ接続を開始しないことを判断する。
【００６７】
図４を参照すると、デバイスからのＰＤＮ接続要求を拒否することを可能にする例示的な方法４００が示されている。４０２において、ＡＰＮを指定する、アクセスポイントとのＰＤＮ接続を確立したいという要求をデバイスから受信する。４０４において、ＡＰＮがローカルゲートウェイにおけるＰＤＮ接続性に関係すると判断する。たとえば、これは、１つまたは複数のコアネットワーク構成要素、アクセスポイントなどから受信された、デバイスまたはアクセスポイントに関係する１つまたは複数のＰＤＮ接続性パラメータに少なくとも部分的に基づくことができる。説明したように、１つまたは複数のＰＤＮ接続性パラメータは、ＰＤＮ接続性が可能にされるＡＰＮのリストに対応することができ、ＡＰＮのリストは、デバイスがＰＤＮ接続を要求することができるアクセスポイント、アクセスポイントのリスト、ＣＳＧ、ＰＬＭＮなどに対応することができる。
【００６８】
４０６において、ＡＰＮがローカルゲートウェイへのＰＤＮ接続性に関係すると判断したことに基づいて、デバイスがアクセスポイントにおいてＰＤＮ接続を確立することを可能にされないと判断する。したがって、説明したように、これは、デバイスが、アクセスポイント、ＣＳＧ、またはＰＬＭＮなどにおいて、ＡＰＮについてのＰＤＮ接続を可能にされないことを指定するＰＤＮ接続パラメータ、および／またはアクセスポイント、ＣＳＧ、ＰＬＭＮなどにおいて、デバイスが、ＡＰＮについてのＰＤＮ接続を要求することができることを指定しないＰＤＮ接続パラメータに少なくとも部分的に基づくことができる。４０８において、デバイスがＡＰＮについてのローカルゲートウェイへのＰＤＮ接続を確立することができない１つまたは複数のアクセスポイントを示す１つまたは複数のＰＤＮ接続性パラメータをデバイスに送る。したがって、たとえば、１つまたは複数のＰＤＮ接続性パラメータは、デバイスが（たとえば、ＡＰＮまたはそれ以外についての）ＰＤＮ接続を確立することができないアクセスポイント、アクセスポイントのＣＳＧ、アクセスポイントのＰＬＭＮなどに関係する１つまたは複数のアクセスポイントを指定することができる。たとえば、これは、ＰＤＮ接続の確立を拒否するＮＡＳ拒否メッセージ中の１つまたは複数の原因コードの一部であり得る。説明したように、概念はＰＤＰコンテキストにも適用され得、したがって、上記のステップがＰＤＮ接続に対応する場合、ステップがＰＤＰコンテキスト用に変更され得ることを諒解されたい。
【００６９】
図５を参照すると、ＰＤＮ接続を確立したいという要求を通信するための例示的な方法５００が示されている。５０２において、アクセスポイントと通信している間、ローカルゲートウェイへのＰＤＮ接続を確立することを判断する。たとえば、（たとえば、アプリケーション、デバイスなどから）ＰＤＮ接続を確立したいという要求が受信され得る。５０４において、アクセスポイントにおけるローカルゲートウェイへのＰＤＮ接続性に対応するアクセスポイント名（ＡＰＮ）を選択する。たとえば、これは、ＰＤＮ接続性が可能にされるＰＤＮ接続性パラメータからＡＰＮを判断することを含むことができる。５０６において、ＡＰＮを指定する、アクセスポイントへのＰＤＮ接続を確立したいという要求を送信する。一例では、アクセスポイントを介してローカルゲートウェイとのＰＤＮ接続が確立され得る。
【００７０】
本明細書で説明する１つまたは複数の態様によれば、説明したように、ＰＤＮ接続性パラメータに基づいてＰＤＮ接続を確立するように要求すべきかどうかを判断すること、ＰＤＮ接続を要求するために指定すべきＡＰＮを判断することなどに関する推論が行われ得ることを諒解されよう。本明細書で使用する「推論する（infer）」または「推論（inference）」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために採用され得、あるいは、たとえば、状態の確率分布を生成することができる。推論は、確率的、すなわち、データおよび事象の考察に基づく当該の状態の確率分布の計算であり得る。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータソースに由来するかどうかにかかわらず、観測されたイベントおよび／または記憶されたイベントデータのセットから新しいイベントまたはアクションが構成される。
【００７１】
図６は、ＰＤＮ接続を開始すべきかどうかを判断することを可能にするモバイルデバイス６００の図である。モバイルデバイス６００は、たとえば受信アンテナ（図示せず）から信号を受信し、受信信号に対して典型的な動作（たとえば、フィルタ処理、増幅、ダウンコンバートなど）を行い、サンプルを得るために調整された信号をデジタル化する受信機６０２を備える。受信機６０２は、受信されたシンボルを復調し、チャネル推定のためにプロセッサ６０６に供給することができる復調器６０４を備えることができる。プロセッサ６０６は、受信機６０２によって受信された情報の分析および／または送信機６０８による送信のための情報の生成に専用のプロセッサ、モバイルデバイス６００の１つまたは複数の構成要素を制御するプロセッサ、ならびに／あるいは受信機６０２によって受信された情報の分析、送信機６０８による送信のための情報の生成、およびモバイルデバイス６００の１つまたは複数の構成要素の制御を行うプロセッサであり得る。たとえば、プロセッサ６０６は、ＰＤＮ接続を要求すべきかどうかを判断するために、本明細書で説明する１つまたは複数の機能を実行することができる。
【００７２】
モバイルデバイス６００は、さらに、メモリ６１０を備えることができ、メモリ６１０は、プロセッサ６０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ６１０は、さらに（たとえばパフォーマンスベース、容量ベースなどの）チャネルの推定および／または利用、ＰＤＮ接続を要求すべきかどうかの判断などに関連するプロトコルおよび／またはアルゴリズムを記憶することができる。
【００７３】
本明細書で説明するデータストア（たとえばメモリ６１０）は、揮発性メモリまたは不揮発性メモリのいずれかであり得、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ６１０は、これらおよび他の適切なタイプのメモリを、それらに限定されることなく、備えるものとする。
【００７４】
プロセッサ６０６は、さらに、随意に、パラメータ受信構成要素２０８と同様であり得るパラメータ受信構成要素６１２、ＰＤＮ要求判断構成要素２１０と同様であり得るＰＤＮ要求判断構成要素６１４、および／またはＰＤＮ接続要求構成要素２１２と同様であり得るＰＤＮ接続要求構成要素６１６に動作可能に結合され得る。モバイルデバイス６００は、またさらに、たとえば、基地局、別のモバイルデバイスなどへの送信機６０８による送信のための信号を変調する変調器６１８を備える。プロセッサ６０６とは別個のものとして図示されているが、パラメータ受信構成要素６１２、ＰＤＮ要求判断構成要素６１４、ＰＤＮ接続要求構成要素６１６、復調器６０４、および／または変調器６１８は、プロセッサ６０６または複数のプロセッサ（図示せず）の一部であり得、ならびに／あるいはプロセッサ６０６が実行するためのメモリ６１０中の命令として記憶され得ることを諒解されたい。
【００７５】
図７を参照すると、一態様では、ネットワークノード１０６、モビリティマネージャ１０８、または２０６、サブスクリプションサーバ１１０または２０４など（たとえば、図１〜図２）のいずれもコンピュータデバイス７００によって表され得る。コンピュータデバイス７００は、本明細書で説明する構成要素および機能のうちの１つまたは複数に関連する処理機能を実行するためのプロセッサ７０２を含む。プロセッサ７０２は、プロセッサまたはマルチコアプロセッサの単一または複数のセットを含むことができる。さらに、プロセッサ７０２は、統合処理システムおよび／または分散処理システムとして実装され得る。
【００７６】
コンピュータデバイス７００は、プロセッサ７０２によって実行されているアプリケーションのローカルバージョンを記憶するなどのためのメモリ７０４をさらに含む。メモリ７０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータが使用できる実質的にどんなタイプのメモリでも含むことができる。コンピュータデバイス７００は、メモリ７０４に記憶され得る、（たとえば、メモリ７０４に記憶された命令に基づいて）プロセッサ７０２によって実行され得る、１つまたは複数のプロセッサ７０２内に実装され得るなどの１つまたは複数の構成要素７０６〜７１８をも含む。
【００７７】
さらに、コンピュータデバイス７００は、本明細書で説明するように、ハードウェア、ソフトウェア、およびサービスを利用して、１つまたは複数の相手との通信を確立し、維持することを行う通信構成要素７０６を含む。通信構成要素７０６は、コンピュータデバイス７００上の構成要素間、ならびにコンピュータデバイス７００と、通信ネットワーク上に位置するデバイス、および／またはコンピュータデバイス７００に直列またはローカルに接続されたデバイスなどの外部デバイスとの間の通信を伝え得る。たとえば、通信構成要素７０６は、１つまたは複数のバスを含み得、それぞれ送信機および受信機に関連する、外部デバイスとインターフェースするように動作可能な送信チェーン構成要素および受信チェーン構成要素をさらに含み得る。
【００７８】
さらに、コンピュータデバイス７００は、データストア７０８をさらに含み得、データストア７０８は、本明細書で説明する態様に関連して採用される情報、データベース、およびプログラムの大容量記憶を与えるハードウェアおよび／またはソフトウェアの任意の適切な組合せであり得る。たとえば、データストア７０８は、プロセッサ７０２によって現在実行されていないアプリケーションのためのデータリポジトリであり得る。
【００７９】
コンピュータデバイス７００は、随意に、コンピュータデバイス７００のユーザから入力を受信するように動作可能であり、ユーザへの提示のための出力を生成するようにさらに動作可能なインターフェース構成要素７１０を含み得る。インターフェース構成要素７１０は、限定はしないが、キーボード、テンキー、マウス、タッチセンシティブディスプレイ、ナビゲーションキー、ファンクションキー、マイクロフォン、音声認識構成要素、ユーザから入力を受信することが可能な他の機構、またはそれらの任意の組合せを含む、１つまたは複数の入力デバイスを含み得る。さらに、インターフェース構成要素７１０は、限定はしないが、ディスプレイ、スピーカー、触覚フィードバック機構、プリンタ、出力をユーザに提示することが可能な他の機構、またはそれらの任意の組合せを含む、１つまたは複数の出力デバイスを含み得る。別の例では、インターフェース構成要素７１０は、コンピュータデバイス７００上の機能を実行するために、１つまたは複数のデバイスによってアクセスされ得るアプリケーションプログラミングインターフェース（ＡＰＩ：application programming interface）であり得る。
【００８０】
さらに、図示された例では、コンピュータデバイス７００は、サブスクリプションデータ構成要素２１４と同様であり得るサブスクリプションデータ構成要素７１２、ＰＤＮ接続要求受信構成要素２１６と同様であり得るＰＤＮ接続要求受信構成要素７１４、ＰＤＮ接続性判断構成要素２１８と同様であり得るＰＤＮ接続性判断構成要素７１６、および／またはＰＤＮ接続性指示構成要素２２０と同様であり得るＰＤＮ接続性指示構成要素７１８のうちの１つまたは複数を随意に含むことができる。したがって、これらの構成要素７１２、７１４、７１６、および／または７１８は、説明したように、これらの構成要素に関連する命令を実行するためのプロセッサ７０２、これらの構成要素に関連する情報を記憶するためのメモリ７０４、通信を実行するための通信構成要素７０６などを利用することができる。さらに、コンピュータデバイス７００が、本明細書で説明する追加または代替の構成要素を含むことができることを諒解されたい。
【００８１】
図８を参照すると、アクセスポイントとのＰＤＮ接続を開始すべきかどうかを判断するシステム８００が示されている。たとえば、システム８００は、少なくとも部分的にデバイスなどの内に常駐することができる。システム８００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム８００は、連携して動作することができる電気的構成要素の論理グルーピング８０２を含む。たとえば、論理グルーピング８０２は、１つまたは複数のアクセスポイントにおいてローカルゲートウェイへのＰＤＮ接続性が可能にされるかどうかを指定する１つまたは複数のパラメータを取得するための電気的構成要素８０４を含むことができる。説明したように、１つまたは複数のパラメータは、説明したように、１つまたは複数のネットワーク構成要素、アクセスポイントなどから受信されたＰＤＮ接続性パラメータであり得る。
【００８２】
さらに、論理グルーピング８０２は、１つまたは複数のアクセスポイントのうちの少なくとも１つに接続されている間、ローカルゲートウェイへのＰＤＮ接続を確立したいという要求を受信するための電気的構成要素８０６を備えることができる。たとえば、これは、システム８００を使用するアプリケーション、別のデバイスなどから要求を受信することを含むことができる。さらに、上記で説明したように、要求は、ＰＤＮ接続性に対応するＡＰＮを含むことができる。さらに、論理グルーピング８０２は、１つまたは複数のパラメータに少なくとも部分的に基づいて、１つまたは複数のアクセスポイントのうちの少なくとも１つにおいてローカルゲートウェイへのＰＤＮ接続を開始すべきかどうかを判断するための電気的構成要素８０８を含むことができる。したがって、たとえば、電気的構成要素８０８は、要求中のＡＰＮ、少なくとも１つのアクセスポイント、それのＣＳＧまたはＰＬＭＮなどに対応する１つまたは複数のＰＤＮ接続性パラメータに少なくとも部分的に基づいて、上記のことを判断することができる。
【００８３】
たとえば、電気的構成要素８０４は、上記で説明したように、パラメータ受信構成要素２０８を含むことができる。さらに、たとえば、電気的構成要素８０６は、一態様では、上記で説明したように、ＰＤＮ要求判断構成要素２１０を含むことができる。さらに、説明したように、電気的構成要素８０８はＰＤＮ接続要求構成要素２１２を含むことができる。さらに、システム８００は、電気的構成要素８０４、８０６、および８０８に関連する機能を実行するための命令を保持するメモリ８１０を含むことができる。メモリ８１０の外部にあるものとして示されているが、電気的構成要素８０４、８０６、および８０８のうちの１つまたは複数は、メモリ８１０の内部に存在することができることを理解されたい。
【００８４】
一例では、電気的構成要素８０４、８０６、および８０８は、少なくとも１つのプロセッサを備えることができるか、または各電気的構成要素８０４、８０６、および８０８は、少なくとも１つのプロセッサの対応するモジュールであり得る。さらに、追加または代替の例では、電気的構成要素８０４、８０６、および８０８は、コンピュータ可読媒体を備えるコンピュータプログラム製品であり得、各電気的構成要素８０４、８０６、および８０８は、対応するコードであり得る。
【００８５】
図９を参照すると、ＰＤＮ接続性パラメータをＰＤＮ接続要求が拒否されたデバイスに送るシステム９００が示されている。たとえば、システム９００は、少なくとも部分的にＭＭＥ、ＳＧＳＮなどの内に常駐することができる。システム９００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム９００は、連携して動作することができる電気的構成要素の論理グルーピング９０２を含む。たとえば、論理グルーピング９０２は、ＡＰＮを指定する、アクセスポイントとのＰＤＮ接続を確立したいという要求をデバイスから受信するための電気的構成要素９０４を含むことができる。たとえば、デバイスは、ＰＤＮ接続を要求するためのＡＰＮを選択することができる。さらに、論理グルーピング９０２は、ＡＰＮがＰＤＮ接続性に関係すると判断したことに少なくとも部分的に基づいて、デバイスがアクセスポイントにおいてローカルゲートウェイへのＰＤＮ接続を確立することを可能にされないと判断するための電気的構成要素９０６を備えることができる。
【００８６】
たとえば、ＡＰＮはＰＤＮ接続性に対応することができるが、電気的構成要素９０６はデバイスがアクセスポイント、それのＣＳＧまたはＰＬＭＮなどに関係する１つまたは複数のＰＤＮ接続性パラメータに少なくとも部分的に基づいて、アクセスポイントとのＰＤＮ接続が可能にされないと判断することができる。さらに、説明したように、ＰＤＮ接続性パラメータはデバイスおよび／または指定されたＡＰＮに固有であり得る。さらに、論理グルーピング９０２は、デバイスがＡＰＮについてのローカルゲートウェイへのＰＤＮ接続を確立することを可能にされない１つまたは複数のアクセスポイントを示す１つまたは複数のＰＤＮ接続性パラメータをデバイスに送るための電気的構成要素９０８を含むことができる。たとえば、ＰＤＮ接続性パラメータは、デバイスがＰＤＮ接続を要求することを可能にされないＣＳＧ、ＰＬＭＮ、１つまたは複数のアクセスポイント識別子、ＡＰＮなどを指定することができる。説明したように、次いで、デバイスは、ＣＳＧ、ＰＬＭＮなどの中の他のアクセスポイントとのＰＤＮ接続を後で要求すべきかどうかを判断する際に、ＰＤＮ接続性パラメータを使用することができる。
【００８７】
たとえば、電気的構成要素９０４は、上記で説明したように、ＰＤＮ接続要求受信構成要素２１６を含むことができる。さらに、たとえば、電気的構成要素９０６は、一態様では、上記で説明したように、ＰＤＮ接続性判断構成要素２１８を含むことができる。さらに、説明したように、電気的構成要素９０８はＰＤＮ接続性指示構成要素２２０を含むことができる。さらに、システム９００は、電気的構成要素９０４、９０６、および９０８に関連する機能を実行するための命令を保持するメモリ９１０を含むことができる。メモリ９１０の外部にあるものとして示されているが、電気的構成要素９０４、９０６、および９０８のうちの１つまたは複数は、メモリ９１０の内部に存在することができることを理解されたい。
【００８８】
一例では、電気的構成要素９０４、９０６、および９０８は、少なくとも１つのプロセッサを備えることができるか、または各電気的構成要素９０４、９０６、および９０８は、少なくとも１つのプロセッサの対応するモジュールであり得る。さらに、追加または代替の例では、電気的構成要素９０４、９０６、および９０８は、コンピュータ可読媒体を備えるコンピュータプログラム製品であり得、各電気的構成要素９０４、９０６、および９０８は、対応するコードであり得る。
【００８９】
図１０を参照すると、ＰＤＮ接続を確立したいという要求を通信するシステム１０００が示されている。たとえば、システム１０００は、少なくとも部分的にデバイスなどの内に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１０００は、連携して動作することができる電気的構成要素の論理グルーピング１００２を含む。たとえば、論理グルーピング１００２は、アクセスポイント１００４と通信している間、ローカルゲートウェイへのＰＤＮ接続を確立することを判断するための電気的構成要素を含むことができる。たとえば、これは、システム１０００と通信しているアプリケーションまたはデバイスからの要求などに基づいて判断され得る。
【００９０】
さらに、論理グルーピング１００２は、アクセスポイントにおけるローカルゲートウェイへのＰＤＮ接続性に対応するＡＰＮを指定する、ＰＤＮ接続を確立したいという要求をアクセスポイントに送信するための電気的構成要素１００６を備えることができる。説明したように、たとえば、ＡＰＮは、アクセスポイントとのＰＤＮ接続を確立するためにＡＰＮが使用され得ることを示すＰＤＮ接続性パラメータから判断され得る。たとえば、電気的構成要素１００４は、上記で説明したように、ＰＤＮ要求判断構成要素２１０を含むことができる。さらに、たとえば、電気的構成要素１００６は、一態様では、上記で説明したように、ＰＤＮ接続要求構成要素２１２を含むことができる。さらに、システム１０００は、電気的構成要素１００４および１００６に関連する機能を実行するための命令を保持するメモリ１００８を含むことができる。メモリ１００８の外部にあるものとして示されているが、電気的構成要素１００４および１００６のうちの１つまたは複数は、メモリ１００８の内部に存在することができることを理解されたい。
【００９１】
一例では、電気的構成要素１００４および１００６は、少なくとも１つのプロセッサを備えることができるか、または各電気的構成要素１００４および１００６は、少なくとも１つのプロセッサの対応するモジュールであり得る。さらに、追加または代替の例では、電気的構成要素１００４および１００６は、コンピュータ可読媒体を備えるコンピュータプログラム製品であり得、各電気的構成要素１００４および１００６は、対応するコードであり得る。
【００９２】
次に図１１を参照すると、本明細書で提示する様々な実施形態によるワイヤレス通信システム１１００が示されている。システム１１００は、複数のアンテナグループを含むことができる基地局１１０２を備える。たとえば、１つのアンテナグループはアンテナ１１０４および１１０６を含み、別のグループはアンテナ１１０８および１１１０を備え、さらなるグループはアンテナ１１１２および１１１４を含むことができる。アンテナグループごとに２つのアンテナが示されているが、グループごとにより多いまたはより少ないアンテナが利用され得る。基地局１１０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【００９３】
基地局１１０２は、モバイルデバイス１１１６およびモバイルデバイス１１２２など、１つまたは複数のモバイルデバイスと通信することができるが、基地局１１０２は、モバイルデバイス１１１６および１１２２と同様の実質的にいかなる数のモバイルデバイスとも通信することができることを諒解されたい。モバイルデバイス１１１６および１１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１１００を介して通信するための他の適切なデバイスであり得る。図示のように、モバイルデバイス１１１６は、アンテナ１１１２および１１１４と通信しており、アンテナ１１１２および１１１４は、順方向リンク１１１８を介して情報をモバイルデバイス１１１６に送信し、逆方向リンク１１２０を介してモバイルデバイス１１１６から情報を受信する。その上、モバイルデバイス１１２２はアンテナ１１０４および１１０６と通信しており、アンテナ１１０４および１１０６は、順方向リンク１１２４を介して情報をモバイルデバイス１１２２に送信し、逆方向リンク１１２６を介してモバイルデバイス１１２２から情報を受信する。周波数分割複信（ＦＤＤ）システムでは、たとえば、順方向リンク１１１８は、逆方向リンク１１２０によって使用される周波数帯域とは異なる周波数帯域を利用し、順方向リンク１１２４は、逆方向リンク１１２６によって採用される周波数帯域とは異なる周波数帯域を採用することができる。さらに、時分割複信（ＴＤＤ）システムでは、順方向リンク１１１８および逆方向リンク１１２０は共通の周波数帯域を利用し、順方向リンク１１２４および逆方向リンク１１２６は共通の周波数帯域を利用することができる。
【００９４】
アンテナの各グループおよび／またはそれらが通信するように指定されたエリアは、基地局１１０２のセクタと呼ばれることがある。たとえば、アンテナグループは、基地局１１０２によってカバーされるエリアのセクタ中のモバイルデバイスに通信するように設計され得る。順方向リンク１１１８および１１２４を介した通信では、基地局１１０２の送信アンテナは、モバイルデバイス１１１６および１１２２についての順方向リンク１１１８および１１２４の信号対雑音比を向上させるためにビームフォーミングを利用することができる。また、基地局１１０２が、関連するカバレージ中に不規則に散在するモバイルデバイス１１１６および１１２２に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。その上、モバイルデバイス１１１６および１１２２は、図示のようにピアツーピアまたはアドホック技術を使用して互いに直接通信することができる。一例によれば、システム１１００は多入力多出力（ＭＩＭＯ）通信システムであり得る。
【００９５】
図１２に、例示的なワイヤレス通信システム１２００を示す。ワイヤレス通信システム１２００には、簡潔のために、１つの基地局１２１０と、１つのモバイルデバイス１２５０とを示してある。ただし、システム１２００は、２つ以上の基地局および／または２つ以上のモバイルデバイスを含むことができ、追加の基地局および／またはモバイルデバイスは、以下で説明する例示的な基地局１２１０およびモバイルデバイス１２５０と実質的に同様または異なるものであり得ることを諒解されたい。さらに、基地局１２１０および／またはモバイルデバイス１２５０は、それらの間のワイヤレス通信を可能にするために、本明細書で説明するシステム（図１、図２、および図８〜図１１）、方法（図３〜図５）、モバイルデバイス（図６）、および／またはコンピュータデバイス（図７）を採用することができることを諒解されたい。たとえば、本明細書で説明するシステムおよび／または方法の構成要素または機能は、以下で説明するメモリ１２３２および／または１２７２あるいはプロセッサ１２３０および／または１２７０の一部であり得、ならびに／あるいは開示する機能を実行するためにプロセッサ１２３０および／または１２７０によって実行され得る。
【００９６】
基地局１２１０において、いくつかのデータストリームのトラフィックデータがデータソース１２１２から送信（ＴＸ）データプロセッサ１２１４に供給される。一例によれば、各データストリームはそれぞれのアンテナを介して送信され得る。ＴＸデータプロセッサ１２１４は、トラフィックデータストリーム用に選択された特定の符号化方式に基づいて、そのデータストリームをフォーマット化し、符号化し、インターリーブして、符号化データを与える。
【００９７】
各データストリームの符号化データは、直交周波数分割多重化（ＯＦＤＭ）技法を使用してパイロットデータで多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１２５０において使用され得る。各データストリームの多重化されたパイロットおよび符号化データは、そのデータストリーム用に選択された特定の変調方式（たとえば、２位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ１２３０によって実行または提供される命令によって判断され得る。
【００９８】
データストリームの変調シンボルはＴＸ  ＭＩＭＯプロセッサ１２２０に供給され得、ＴＸ  ＭＩＭＯプロセッサ１２２０は、（たとえば、ＯＦＤＭ用に）変調シンボルをさらに処理することができる。次いで、ＴＸ  ＭＩＭＯプロセッサ１２２０はＮT個の変調シンボルストリームをＮT個の送信機（ＴＭＴＲ）１２２２ａ〜１２２２ｔに供給する。様々な実施形態では、ＴＸ  ＭＩＭＯプロセッサ１２２０は、データストリームのシンボルと、シンボルの送信元のアンテナとにビームフォーミング重みを適用する。
【００９９】
各送信機１２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。さらに、送信機１２２２ａ〜１２２２ｔからのＮT個の被変調信号は、それぞれＮT個のアンテナ１２２４ａ〜１２２４ｔから送信される。
【０１００】
モバイルデバイス１２５０では、送信された被変調信号はＮR個のアンテナ１２５２ａ〜１２５２ｒによって受信され、各アンテナ１２５２からの受信信号は、それぞれの受信機（ＲＣＶＲ）１２５４ａ〜１２５４ｒに供給される。各受信機１２５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを与える。
【０１０１】
ＲＸデータプロセッサ１２６０は、特定の受信機処理技法に基づいてＮR個の受信機１２５４からＮR個の受信シンボルストリームを受信し、処理して、ＮT個の「検出」シンボルストリームを与えることができる。ＲＸデータプロセッサ１２６０は、各検出シンボルストリームを復調し、デインターリーブし、復号して、データストリームのトラフィックデータを復元することができる。ＲＸデータプロセッサ１２６０による処理は、基地局１２２０においてＴＸ  ＭＩＭＯプロセッサ１２１４およびＴＸデータプロセッサ１２１０によって実行される処理を補足するものである。
【０１０２】
逆方向リンクメッセージは、通信リンクおよび／または受信データストリームに関する様々なタイプの情報を備えることができる。逆方向リンクメッセージは、データソース１２３６から複数のデータストリームのトラフィックデータをも受信するＴＸデータプロセッサ１２３８によって処理され、変調器１２８０によって変調され、送信機１２５４ａ〜１２５４ｒによって調整され、基地局１２１０に戻され得る。
【０１０３】
基地局１２１０において、モバイルデバイス１２５０からの被変調信号は、アンテナ１２２４によって受信され、受信機１２２２によって調整され、復調器１２４０によって復調され、ＲＸデータプロセッサ１２４２によって処理されて、モバイルデバイス１２５０によって送信された逆方向リンクメッセージが抽出される。さらに、プロセッサ１２３０は、抽出されたメッセージを処理して、ビームフォーミング重みを判断するためにどのプリコーディング行列を使用すべきかを判断することができる。
【０１０４】
プロセッサ１２３０および１２７０は、それぞれ基地局１２１０およびモバイルデバイス１２５０における動作を指示（たとえば、制御、調整、管理など）することができる。それぞれのプロセッサ１２３０および１２７０は、プログラムコードおよびデータを記憶するメモリ１２３２および１２７２に結合され得る。プロセッサ１２３０および１２７０はまた、それぞれ、アップリンクとダウンリンクとに関して周波数推定値とインパルス応答推定値とを導出するために計算を実行することができる。
【０１０５】
図１３に、本明細書の教示が実装され得る、何人かのユーザをサポートするように構成されたワイヤレス通信システム１３００を示す。システム１３００は、たとえば、マクロセル１３０２Ａ〜１３０２Ｇなど、複数のセル１３０２の通信を可能にし、各セルは、対応するアクセスノード１３０４（たとえば、アクセスノード１３０４Ａ〜１３０４Ｇ）によってサービスされる。図１３に示すように、アクセス端末１３０６（たとえば、アクセス端末１３０６Ａ〜１３０６Ｌ）は、時間とともにシステム全体にわたって様々なロケーションに分散され得る。各アクセス端末１３０６は、たとえば、アクセス端末１３０６がアクティブかどうか、およびアクセス端末１３０６がソフトハンドオフ中かどうかに応じて、所与の瞬間に順方向リンク（ＦＬ）および／または逆方向リンク（ＲＬ）上で１つまたは複数のアクセスノード１３０４と通信することができる。ワイヤレス通信システム１３００は広い地理的領域にわたってサービスを提供することができる。
【０１０６】
図１４に、１つまたは複数のフェムトノードがネットワーク環境内に展開された例示的な通信システム１４００を示す。特に、システム１４００は、比較的小規模のネットワーク環境中に（たとえば、１つまたは複数のユーザ住居１４３０中に）設置された複数のフェムトノード１４１０Ａおよび１４１０Ｂ（たとえば、フェムトセルノードまたはＨ（ｅ）ＮＢ）を含む。各フェムトノード１４１０は、デジタル加入者回線（ＤＳＬ）ルータ、ケーブルモデム、ワイヤレスリンク、または他の接続手段（図示せず）を介して、ワイドエリアネットワーク１４４０（たとえば、インターネット）とモバイル事業者コアネットワーク１４５０とに結合され得る。以下で説明するように、各フェムトノード１４１０は、関連するアクセス端末１４２０（たとえば、アクセス端末１４２０Ａ）、および、随意に、エイリアンアクセス端末１４２０（たとえば、アクセス端末１４２０Ｂ）をサービスするように構成され得る。言い換えれば、フェムトノード１４１０へのアクセスは、所与のアクセス端末１４２０が、指定された（１つまたは複数の）（たとえば、ホーム）フェムトノード１４１０のセットによってサービスされ得るが、指定されていないフェムトノード１４１０（たとえば、ネイバーのフェムトノード）によってはサービスされ得ないように制限され得る。
【０１０７】
図１５に、いくつかのトラッキングエリア１５０２（またはルーティングエリアまたはロケーションエリア）が画定されたカバレージマップ１５００の例を示し、そのエリアの各々はいくつかのマクロカバレージエリア１５０４を含む。ここで、トラッキングエリア１５０２Ａ、１５０２Ｂ、および１５０２Ｃに関連するカバレージのエリアは太線によって示され、マクロカバレージエリア１５０４は六角形によって表される。トラッキングエリア１５０２はフェムトカバレージエリア１５０６をも含む。この例では、フェムトカバレージエリア１５０６（たとえば、フェムトカバレージエリア１５０６Ｃ）の各々は、マクロカバレージエリア１５０４（たとえば、マクロカバレージエリア１５０４Ｂ）内に示される。ただし、フェムトカバレージエリア１５０６は、完全にマクロカバレージエリア１５０４内にあるとは限らないことを諒解されたい。実際には、多数のフェムトカバレージエリア１５０６が所与のトラッキングエリア１５０２またはマクロカバレージエリア１５０４とともに画定され得る。また、１つまたは複数のピコカバレージエリア（図示せず）が所与のトラッキングエリア１５０２またはマクロカバレージエリア１５０４内に画定され得る。
【０１０８】
再び図１４を参照すると、フェムトノード１４１０の所有者は、たとえば、３Ｇモバイルサービスなど、モバイル事業者コアネットワーク１４５０を介して提供されるモバイルサービスに加入することができる。さらに、アクセス端末１４２０は、マクロ環境と、より小規模の（たとえば、宅内）ネットワーク環境の両方で動作することが可能であり得る。したがって、たとえば、アクセス端末１４２０の現在のロケーションに応じて、アクセス端末１４２０は、アクセスノード１４６０によって、または、フェムトノード１４１０のセットのうちのいずれか１つ（たとえば、対応するユーザ住居１４３０内に常駐するフェムトノード１４１０Ａおよび１４１０Ｂ）によってサービスされ得る。たとえば、加入者は、自宅の外にいるときは標準のマクロセルアクセスノード（たとえば、ノード１４６０）によってサービスされ、自宅にいるときはフェムトノード（たとえば、ノード１４１０Ａ）によってサービスされる。ここで、フェムトノード１４１０は既存のアクセス端末１４２０と後方互換性があり得ることを諒解されたい。
【０１０９】
フェムトノード１４１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード１４６０）によって使用される１つまたは複数の周波数と重複することがある。いくつかの態様では、アクセス端末１４２０は、そのような接続性が可能であるときはいつでも、好ましいフェムトノード（たとえば、アクセス端末１４２０のホームフェムトノード）に接続するように構成され得る。たとえば、アクセス端末１４２０は、ユーザの住居１４３０内にあるときはいつでも、ホームフェムトノード１４１０と通信することができる。
【０１１０】
いくつかの態様では、アクセス端末１４２０がモバイル事業者コアネットワーク１４５０内で動作しているが、（たとえば、好適ローミングリスト中で定義された）それの最も好適なネットワーク上に常駐していない場合、アクセス端末１４２０は、ベターシステムリセレクション（ＢＳＲ：Better System Reselection）を使用して、最も好適なネットワーク（たとえば、フェムトノード１４１０）を探索し続けることができ、ベターシステムリセレクションでは、より良好なシステムが現在利用可能であるかどうかを判断するために利用可能なシステムの周期的スキャニングを行い、その後、そのような好適なシステムに関連付けようとすることができる。（たとえば、好適ローミングリスト中の）収集テーブルエントリを使用して、一例では、アクセス端末１４２０は、特定の帯域およびチャネルについて探索を制限することができる。たとえば、最も好適なシステムの探索が周期的に繰り返され得る。フェムトノード１４１０など好適なフェムトノードが発見されると、アクセス端末１４２０は、それのカバレージエリア内にキャンプするためのフェムトノード１４１０を選択する。
【０１１１】
フェムトノードは、いくつかの態様では、制限され得る。たとえば、所与のフェムトノードが、いくつかのサービスをいくつかのアクセス端末のみに提供することができる。いわゆる制限（または限定）された関連付けを用いた展開では、所与のアクセス端末が、マクロセルモバイルネットワークと、フェムトノードの定義されたセット（たとえば、対応するユーザ住居１４３０内に常駐するフェムトノード１４１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１１２】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ：Closed Subscriber Group）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１１３】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。エイリアンフェムトノードは、おそらく非常事態（たとえば、９１１番）を除いて、アクセス端末がアクセスまたはその上で動作することを許可されないフェムトノードを指すことがある。
【０１１４】
制限されたフェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。エイリアンアクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１１５】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１１６】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）は基地局から端末への通信リンクを指し、逆方向リンク（またはアップリンク）は端末から基地局への通信リンクを指す。この通信リンクは、単入力単出力システム、ＭＩＭＯシステム、または何らかの他のタイプのシステムを介して確立され得る。
【０１１７】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１１８】
１つまたは複数の態様では、説明した機能、方法、またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１１９】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願願書に最初に添付した特許請求の範囲に記載の発明を付記する。
［Ｃ１］  ワイヤレスネットワークにおいてパケットデータネットワーク（ＰＤＮ）接続性を利用するための方法であって、  １つまたは複数のアクセスポイントにおいてローカルゲートウェイへのＰＤＮ接続性が可能にされるかどうかを指定する１つまたは複数のパラメータを受信することと、  前記１つまたは複数のアクセスポイントのうちの少なくとも１つに接続されている間、前記ローカルゲートウェイへのＰＤＮ接続を確立したいという要求を受信することと、  前記１つまたは複数のパラメータに少なくとも部分的に基づいて、前記１つまたは複数のアクセスポイントのうちの前記少なくとも１つを使用して前記ローカルゲートウェイへの前記ＰＤＮ接続を開始すべきかどうかを判断することと  を備える方法。
［Ｃ２］  前記ローカルゲートウェイへの前記ＰＤＮ接続についてのＰＤＮ接続性要求を前記１つまたは複数のアクセスポイントのうちの別の１つに送信することをさらに備え、前記１つまたは複数のパラメータを受信することが、前記ＰＤＮ接続性要求に応答して行われる、［Ｃ１］に記載の方法。
［Ｃ３］  前記１つまたは複数のパラメータは、前記１つまたは複数のアクセスポイントのうちの前記少なくとも１つと、前記１つまたは複数のアクセスポイントのうちの前記別の１つとを含むアクセスポイントのセットによって前記ローカルゲートウェイへのＰＤＮ接続性が可能にされないという指示を備え、前記判断することが、前記ＰＤＮ接続を開始しないことを判断することを含む、［Ｃ２］に記載の方法。
［Ｃ４］  アクセスポイントの前記セットが、同じ限定加入者グループ中のアクセスポイントに対応する、［Ｃ３］に記載の方法。
［Ｃ５］  アクセスポイントの前記セットが、同じパブリックランドモバイルネットワーク中のアクセスポイントに対応する、［Ｃ３］に記載の方法。
［Ｃ６］  前記ＰＤＮ接続を確立したいという前記要求を前記受信することが、ＡＰＮを含む前記要求を受信することを備え、前記１つまたは複数のパラメータは、ＰＤＮ接続性が可能にされる前記１つまたは複数のアクセスポイントにおいて前記ローカルゲートウェイへのＰＤＮ接続性を確立するために使用するＡＰＮのリストを備え、前記ローカルゲートウェイへの前記ＰＤＮ接続を開始すべきかどうかを前記判断することは、前記１つまたは複数のアクセスポイントのうちの前記少なくとも１つに関係するＡＰＮの前記リスト中に前記ＡＰＮが含まれるかどうかを判断することを含む、［Ｃ１］に記載の方法。
［Ｃ７］  前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、［Ｃ１］に記載の方法。
［Ｃ８］  前記１つまたは複数のパラメータを前記受信することが、サブスクリプション情報中で、限定加入者グループサブスクリプション情報中で、またはオープンモバイルアライアンスデバイス管理プロシージャの一部として前記１つまたは複数のパラメータを受信することを備える、［Ｃ１］に記載の方法。
［Ｃ９］  １つまたは複数のトリガまたはイベントに少なくとも部分的に基づいて前記１つまたは複数のパラメータを削除することをさらに備える、［Ｃ１］に記載の方法。
［Ｃ１０］  ワイヤレスネットワークにおいてパケットデータネットワーク（ＰＤＮ）接続性を利用するための装置であって、
１つまたは複数のアクセスポイントにおいてローカルゲートウェイへのＰＤＮ接続性が可能にされるかどうかを指定する１つまたは複数のパラメータを取得することと、    前記１つまたは複数のアクセスポイントのうちの少なくとも１つに接続されている間、前記ローカルゲートウェイとのＰＤＮ接続を確立したいという要求を受信することと、    前記１つまたは複数のパラメータに少なくとも部分的に基づいて、前記１つまたは複数のアクセスポイントのうちの前記少なくとも１つを使用して前記ローカルゲートウェイへの前記ＰＤＮ接続を開始すべきかどうかを判断することと  を行うように構成された少なくとも１つのプロセッサと、
前記少なくとも１つのプロセッサに結合されたメモリとを備える装置。
［Ｃ１１］  前記少なくとも１つのプロセッサが、前記１つまたは複数のアクセスポイントのうちの別の１つを使用して前記ローカルゲートウェイへのＰＤＮ接続性要求を送信するようにさらに構成され、前記少なくとも１つのプロセッサが、前記ＰＤＮ接続性要求に応答して前記１つまたは複数のパラメータを取得する、［Ｃ１０］に記載の装置。
［Ｃ１２］  前記１つまたは複数のパラメータは、前記１つまたは複数のアクセスポイントのうちの前記少なくとも１つと、前記１つまたは複数のアクセスポイントのうちの前記別の１つとを含むアクセスポイントのセットによって前記ローカルゲートウェイへのＰＤＮ接続性が可能にされないという指示を備え、前記少なくとも１つのプロセッサが、前記ＰＤＮ接続を開始しないことを判断する、［Ｃ１１］に記載の装置。
［Ｃ１３］  アクセスポイントの前記セットが、同じ限定加入者グループ中または同じパブリックランドモバイルネットワーク中のアクセスポイントに対応する、［Ｃ１２］に記載の装置。
［Ｃ１４］  前記ＰＤＮ接続を確立したいという前記要求がＡＰＮを含み、前記１つまたは複数のパラメータは、前記ローカルゲートウェイへのＰＤＮ接続性が可能にされる前記１つまたは複数のアクセスポイントのＡＰＮのリストを備え、前記少なくとも１つのプロセッサは、前記１つまたは複数のアクセスポイントのうちの前記少なくとも１つに関係するＡＰＮの前記リスト中に前記ＡＰＮが含まれるかどうかを判断することに少なくとも部分的によって、前記ローカルゲートウェイへの前記ＰＤＮ接続を開始すべきかどうかを判断する、［Ｃ１０］に記載の装置。
［Ｃ１５］  前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、［Ｃ１０］に記載の装置。
［Ｃ１６］  ワイヤレスネットワークにおいてパケットデータネットワーク（ＰＤＮ）接続性を利用するための装置であって、  １つまたは複数のアクセスポイントにおいてローカルゲートウェイへのＰＤＮ接続性が可能にされるかどうかを指定する１つまたは複数のパラメータを取得するための手段と、  前記１つまたは複数のアクセスポイントのうちの少なくとも１つに接続されている間、前記ローカルゲートウェイへのＰＤＮ接続を確立したいという要求を受信するための手段と、  前記１つまたは複数のパラメータに少なくとも部分的に基づいて、前記１つまたは複数のアクセスポイントのうちの前記少なくとも１つにおいて前記ローカルゲートウェイへの前記ＰＤＮ接続を開始すべきかどうかを判断するための手段とを備える装置。
［Ｃ１７］  判断するための前記手段が、前記１つまたは複数のアクセスポイントのうちの別の１つを使用して前記ローカルゲートウェイへのＰＤＮ接続性要求を送信し、取得するための前記手段が、前記ＰＤＮ接続性要求に応答して前記１つまたは複数のパラメータを取得する、［Ｃ１６］に記載の装置。
［Ｃ１８］  前記１つまたは複数のパラメータは、前記１つまたは複数のアクセスポイントのうちの前記少なくとも１つと、前記１つまたは複数のアクセスポイントのうちの前記別の１つとを含むアクセスポイントのセット中で前記ローカルゲートウェイへのＰＤＮ接続性が可能にされないという指示を備え、判断するための前記手段が、前記ＰＤＮ接続を開始しないことを判断する、［Ｃ１７］に記載の装置。
［Ｃ１９］  アクセスポイントの前記セットが、同じ限定加入者グループ中または同じパブリックランドモバイルネットワーク中のアクセスポイントに対応する、［Ｃ１８］に記載の装置。
［Ｃ２０］  前記ＰＤＮ接続を確立したいという前記要求がＡＰＮを含み、前記１つまたは複数のパラメータは、前記ローカルゲートウェイへのＰＤＮ接続性が可能にされる前記１つまたは複数のアクセスポイントのＡＰＮのリストを備え、判断するための前記手段は、前記１つまたは複数のアクセスポイントのうちの前記少なくとも１つに関係するＡＰＮの前記リスト中に前記ＡＰＮが含まれるかどうかを判断することに少なくとも部分的によって前記ローカルゲートウェイへの前記ＰＤＮ接続を開始すべきかどうかを判断する、［Ｃ１６］に記載の装置。
［Ｃ２１］  前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、［Ｃ１６］に記載の装置。
［Ｃ２２］  ワイヤレスネットワークにおいてパケットデータネットワーク（ＰＤＮ）接続性を利用するためのコンピュータプログラム製品であって、
少なくとも１つのコンピュータに、１つまたは複数のアクセスポイントにおいてローカルゲートウェイへのＰＤＮ接続性が可能にされるかどうかを指定する１つまたは複数のパラメータを取得させるためのコードと、    前記少なくとも１つのコンピュータに、前記１つまたは複数のアクセスポイントのうちの少なくとも１つに接続されている間、前記ローカルゲートウェイへのＰＤＮ接続を確立したいという要求を受信させるためのコードと、    前記少なくとも１つのコンピュータに、前記１つまたは複数のパラメータに少なくとも部分的に基づいて、前記１つまたは複数のアクセスポイントのうちの前記少なくとも１つを使用して前記ローカルゲートウェイへの前記ＰＤＮ接続を開始すべきかどうかを判断させるためのコードと  を備えるコンピュータ可読媒体を備えるコンピュータプログラム製品。
［Ｃ２３］  前記コンピュータ可読媒体が、前記少なくとも１つのコンピュータに、前記１つまたは複数のアクセスポイントのうちの別の１つを使用して前記ローカルゲートウェイへのＰＤＮ接続性要求を送信させるためのコードをさらに備え、前記少なくとも１つのコンピュータに取得させるための前記コードが、前記ＰＤＮ接続性要求に応答して前記１つまたは複数のパラメータを取得する、［Ｃ２２］に記載のコンピュータプログラム製品。
［Ｃ２４］  前記１つまたは複数のパラメータは、前記１つまたは複数のアクセスポイントのうちの前記少なくとも１つと、前記１つまたは複数のアクセスポイントのうちの前記別の１つとを含むアクセスポイントのセットによって前記ローカルゲートウェイへのＰＤＮ接続性が可能にされないという指示を備え、前記少なくとも１つのコンピュータに判断させるための前記コードが、前記ＰＤＮ接続を開始しないことを判断する、［Ｃ２３］に記載のコンピュータプログラム製品。
［Ｃ２５］  アクセスポイントの前記セットが、同じ限定加入者グループ中または同じパブリックランドモバイルネットワーク中のアクセスポイントに対応する、［Ｃ２４］に記載のコンピュータプログラム製品。
［Ｃ２６］  前記ＰＤＮ接続を確立したいという前記要求がＡＰＮを含み、前記１つまたは複数のパラメータは、前記ローカルゲートウェイへのＰＤＮ接続性が可能にされる前記１つまたは複数のアクセスポイントのＡＰＮのリストを備え、前記少なくとも１つのコンピュータに判断させるための前記コードは、前記１つまたは複数のアクセスポイントのうちの前記少なくとも１つに関係するＡＰＮの前記リスト中に前記ＡＰＮが含まれるかどうかを判断することに少なくとも部分的によって前記ローカルゲートウェイへの前記ＰＤＮ接続を開始すべきかどうかを判断する、［Ｃ２２］に記載のコンピュータプログラム製品。
［Ｃ２７］  前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、［Ｃ２２］に記載のコンピュータプログラム製品。
［Ｃ２８］  ワイヤレスネットワークにおいてパケットデータネットワーク（ＰＤＮ）接続性を利用するための装置であって、  １つまたは複数のアクセスポイントにおいてローカルゲートウェイへのＰＤＮ接続性が可能にされるかどうかを指定する１つまたは複数のパラメータを取得するためのパラメータ受信構成要素と、  前記１つまたは複数のアクセスポイントのうちの少なくとも１つに接続されている間、前記ローカルゲートウェイへのＰＤＮ接続を確立したいという要求を受信するためのＰＤＮ要求判断構成要素と、  前記１つまたは複数のパラメータに少なくとも部分的に基づいて、前記１つまたは複数のアクセスポイントのうちの前記少なくとも１つにおいて前記ローカルゲートウェイへの前記ＰＤＮ接続を開始すべきかどうかを判断するためのＰＤＮ接続要求構成要素とを備える装置。
［Ｃ２９］  前記ＰＤＮ接続要求構成要素が、前記１つまたは複数のアクセスポイントのうちの別の１つを使用して前記ローカルゲートウェイへのＰＤＮ接続性要求を送信し、前記パラメータ受信構成要素が、前記ＰＤＮ接続性要求に応答して前記１つまたは複数のパラメータを取得する、［Ｃ２８］に記載の装置。
［Ｃ３０］  前記１つまたは複数のパラメータは、前記１つまたは複数のアクセスポイントのうちの前記少なくとも１つと、前記１つまたは複数のアクセスポイントのうちの前記別の１つとを含むアクセスポイントのセット中で前記ローカルゲートウェイへのＰＤＮ接続性が可能にされないという指示を備え、前記ＰＤＮ接続要求構成要素が、前記ＰＤＮ接続を開始しないことを判断する、［Ｃ２９］に記載の装置。
［Ｃ３１］  アクセスポイントの前記セットが、同じ限定加入者グループ中または同じパブリックランドモバイルネットワーク中のアクセスポイントに対応する、［Ｃ３０］に記載の装置。
［Ｃ３２］  前記ＰＤＮ接続を確立したいという前記要求がＡＰＮを含み、前記１つまたは複数のパラメータは、前記ローカルゲートウェイへのＰＤＮ接続性が可能にされる前記１つまたは複数のアクセスポイントのＡＰＮのリストを備え、前記ＰＤＮ接続要求構成要素は、前記１つまたは複数のアクセスポイントのうちの前記少なくとも１つに関係するＡＰＮの前記リスト中に前記ＡＰＮが含まれるかどうかを判断することに少なくとも部分的によって前記ローカルゲートウェイへの前記ＰＤＮ接続を開始すべきかどうかを判断する、［Ｃ２８］に記載の装置。
［Ｃ３３］  前記ＰＤＮ接続がローカルインターネットプロトコル（ＩＰ）アクセス（ＬＩＰＡ）ＰＤＮ接続または選択ＩＰトラフィックオフロード（ＳＩＰＴＯ）接続に対応し、前記ローカルゲートウェイへの前記ＰＤＮ接続性がＬＩＰＡ  ＰＤＮ接続性またはＳＩＰＴＯ  ＰＤＮ接続性に対応する、［Ｃ２８］に記載の装置。
［Ｃ３４］  前記パラメータ受信構成要素が、サブスクリプション情報中で、限定加入者グループサブスクリプション情報中で、またはオープンモバイルアライアンスデバイス管理プロシージャの一部として前記１つまたは複数のパラメータを取得する、［Ｃ２８］に記載の装置。
［Ｃ３５］  前記ＰＤＮ接続要求構成要素が、１つまたは複数のトリガまたはイベントに少なくとも部分的に基づいて前記１つまたは複数のパラメータを削除する、［Ｃ２８］に記載の装置。
［Ｃ３６］  ワイヤレスネットワークにおいてパケットデータネットワーク（ＰＤＮ）接続性を利用するための方法であって、  アクセスポイント名（ＡＰＮ）を指定する、アクセスポイントとのＰＤＮ接続を確立したいという要求をデバイスから受信することと、  前記ＡＰＮがローカルゲートウェイへのＰＤＮ接続性に関係すると判断することと、  前記ＡＰＮが前記ローカルゲートウェイへのＰＤＮ接続性に関係すると判断したことに基づいて、前記デバイスが前記アクセスポイントにおいて前記ＰＤＮ接続を確立することを可能にされないと判断することと、  前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送ることとを  備える方法。
［Ｃ３７］  前記１つまたは複数のアクセスポイントが、同じ限定加入者グループに対応する、［Ｃ３６］に記載の方法。
［Ｃ３８］  前記１つまたは複数のアクセスポイントが、同じパブリックランドモバイルネットワークに対応する、［Ｃ３６］に記載の方法。
［Ｃ３９］  ワイヤレスネットワークにおいてパケットデータネットワーク（ＰＤＮ）接続性を利用するための装置であって、
アクセスポイント名（ＡＰＮ）を指定する、アクセスポイントとのＰＤＮ接続を確立したいという要求をデバイスから受信することと、    前記ＡＰＮがローカルゲートウェイへのＰＤＮ接続性に関係すると判断することと、    前記ＡＰＮが前記ローカルゲートウェイへのＰＤＮ接続性に関係すると判断したことに少なくとも部分的に基づいて、前記デバイスが前記アクセスポイントにおいて前記ＰＤＮ接続を確立することを可能にされないと判断することと、    前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送ることと  を行うように構成された少なくとも１つのプロセッサと、
前記少なくとも１つのプロセッサに結合されたメモリとを備える装置。
［Ｃ４０］  前記１つまたは複数のアクセスポイントが、同じ限定加入者グループまたは同じパブリックランドモバイルネットワークに対応する、［Ｃ３９］に記載の装置。
［Ｃ４１］  ワイヤレスネットワークにおいてパケットデータネットワーク（ＰＤＮ）接続性を利用するための装置であって、  アクセスポイント名（ＡＰＮ）を指定する、アクセスポイントとのＰＤＮ接続を確立したいという要求をデバイスから受信するための手段と、  前記ＡＰＮがローカルゲートウェイへのＰＤＮ接続性に関係すると判断したことに少なくとも部分的に基づいて、前記デバイスが前記アクセスポイントにおいて前記ローカルゲートウェイへの前記ＰＤＮ接続を確立することを可能にされないと判断するための手段と、  前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送るための手段と  を備える装置。
［Ｃ４２］  前記１つまたは複数のアクセスポイントが、同じ限定加入者グループまたは同じパブリックランドモバイルネットワークに対応する、［Ｃ４１］に記載の装置。
［Ｃ４３］  ワイヤレスネットワークにおいてパケットデータネットワーク（ＰＤＮ）接続性を利用するためのコンピュータプログラム製品であって、    少なくとも１つのコンピュータに、アクセスポイント名（ＡＰＮ）を指定する、アクセスポイントとのＰＤＮ接続を確立したいという要求をデバイスから受信させるためのコードと、    前記少なくとも１つのコンピュータに、前記ＡＰＮがローカルゲートウェイへのＰＤＮ接続性に関係すると判断させるためのコードと、    前記少なくとも１つのコンピュータに、前記ＡＰＮが前記ローカルゲートウェイへのＰＤＮ接続性に関係すると判断したことに少なくとも部分的に基づいて、前記デバイスが前記アクセスポイントにおいて前記ＰＤＮ接続を確立することを可能にされないと判断させるためのコードと、    前記少なくとも１つのコンピュータに、前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送らせるためのコードと  を備えるコンピュータ可読媒体を備えるコンピュータプログラム製品。
［Ｃ４４］  前記１つまたは複数のアクセスポイントが、同じ限定加入者グループまたは同じパブリックランドモバイルネットワークに対応する、［Ｃ４３］に記載のコンピュータプログラム製品。
［Ｃ４５］  ワイヤレスネットワークにおいてパケットデータネットワーク（ＰＤＮ）接続性を利用するための装置であって、  アクセスポイント名（ＡＰＮ）を指定する、アクセスポイントとのＰＤＮ接続を確立したいという要求をデバイスから受信するためのＰＤＮ接続要求受信構成要素と、  前記ＡＰＮがローカルゲートウェイへのＰＤＮ接続性に関係すると判断したことに少なくとも部分的に基づいて、前記デバイスが前記アクセスポイントにおいて前記ローカルゲートウェイへの前記ＰＤＮ接続を確立することを可能にされないと判断するためのＰＤＮ接続性判断構成要素と、  前記デバイスが前記ＡＰＮについての前記ローカルゲートウェイへのＰＤＮ接続を確立することができない１つまたは複数のアクセスポイントを示す１つまたは複数のＰＤＮ接続性パラメータを前記デバイスに送るためのＰＤＮ接続性指示構成要素とを備える装置。
［Ｃ４６］  前記１つまたは複数のアクセスポイントが、同じ限定加入者グループまたは同じパブリックランドモバイルネットワークに対応する、［Ｃ４５］に記載の装置。
［Ｃ４７］  パケットデータネットワーク（ＰＤＮ）接続を確立するための方法であって、  アクセスポイントと通信している間、ローカルゲートウェイへのＰＤＮ接続を確立することを判断することと、  前記アクセスポイントにおける前記ローカルゲートウェイへのＰＤＮ接続性に対応するアクセスポイント名（ＡＰＮ）を選択することと、  前記ＡＰＮを指定する、前記アクセスポイントへの前記ＰＤＮ接続を確立したいという要求を送信することとを備える方法。
［Ｃ４８］  前記ＡＰＮを前記選択することは、前記ＡＰＮが前記ローカルゲートウェイへのＰＤＮ接続性に対応することを指定する、サブスクリプション情報中の１つまたは複数のパラメータにさらに少なくとも部分的に基づく、［Ｃ４７］に記載の方法。
［Ｃ４９］  前記ＡＰＮを前記選択することは、前記ＡＰＮが限定加入者グループ（ＣＳＧ）についての前記ローカルゲートウェイへのＰＤＮ接続性に対応することを指定する、ＣＳＧサブスクリプション情報中の１つまたは複数のパラメータにさらに少なくとも部分的に基づく、［Ｃ４７］に記載の方法。
［Ｃ５０］  前記ＡＰＮを前記選択することは、前記ＣＳＧが前記アクセスポイントに関連すると判断したことにさらに少なくとも部分的に基づく、［Ｃ４９］に記載の方法。
［Ｃ５１］  パケットデータネットワーク（ＰＤＮ）接続を確立するための装置であって、
アクセスポイントと通信している間、ローカルゲートウェイへのＰＤＮ接続を確立することを判断することと、    前記アクセスポイントにおける前記ローカルゲートウェイへのＰＤＮ接続性に対応するアクセスポイント名（ＡＰＮ）を選択することと、    前記ＡＰＮを指定する、前記アクセスポイントへの前記ＰＤＮ接続を確立したいという要求を送信することと  を行うように構成された少なくとも１つのプロセッサと、
前記少なくとも１つのプロセッサに結合されたメモリと  を備える装置。
［Ｃ５２］  前記少なくとも１つのプロセッサは、前記ＡＰＮが前記ローカルゲートウェイへのＰＤＮ接続性に対応することを指定する、サブスクリプション情報中の１つまたは複数のパラメータにさらに少なくとも部分的に基づいて前記ＡＰＮを選択する、［Ｃ５１］に記載の装置。
［Ｃ５３］  前記少なくとも１つのプロセッサは、前記ＡＰＮが限定加入者グループ（ＣＳＧ）についての前記ローカルゲートウェイへのＰＤＮ接続性に対応することを指定する、ＣＳＧサブスクリプション情報中の１つまたは複数のパラメータにさらに少なくとも部分的に基づいて前記ＡＰＮを選択する、［Ｃ５１］に記載の装置。
［Ｃ５４］  パケットデータネットワーク（ＰＤＮ）接続を確立するための装置であって、  アクセスポイントと通信している間、ローカルゲートウェイへのＰＤＮ接続を確立することを判断するための手段と、  前記アクセスポイントにおける前記ローカルゲートウェイへのＰＤＮ接続性に対応するアクセスポイント名（ＡＰＮ）を指定する、前記アクセスポイントへの前記ＰＤＮ接続を確立したいという要求を送信するための手段とを備える装置。
［Ｃ５５］  前記ＡＰＮが前記ローカルゲートウェイへのＰＤＮ接続性に対応することを指定する１つまたは複数のパラメータをサブスクリプション情報中で取得するための手段をさらに備え、送信するための前記手段が、前記１つまたは複数のパラメータに少なくとも部分的に基づいて前記ＡＰＮを選択する、［Ｃ５４］に記載の装置。
［Ｃ５６］  前記ＡＰＮが、限定加入者グループ（ＣＳＧ）についての前記ローカルゲートウェイへのＰＤＮ接続性に対応することを指定する１つまたは複数のパラメータをＣＳＧサブスクリプション情報中で取得するための手段をさらに備え、送信するための前記手段が、１つまたは複数のパラメータに少なくとも部分的に基づいて前記ＡＰＮを選択する、［Ｃ５４］に記載の装置。
［Ｃ５７］  パケットデータネットワーク（ＰＤＮ）接続を確立するためのコンピュータプログラム製品であって、    少なくとも１つのコンピュータに、アクセスポイントと通信している間、ローカルゲートウェイへのＰＤＮ接続を確立することを判断させるためのコードと、    前記少なくとも１つのコンピュータに、前記アクセスポイントにおける前記ローカルゲートウェイへのＰＤＮ接続性に対応するアクセスポイント名（ＡＰＮ）を選択させるためのコードと、    前記少なくとも１つのコンピュータに、前記ＡＰＮを指定する、前記アクセスポイントへの前記ＰＤＮ接続を確立したいという要求を送信させるためのコードと  を備えるコンピュータ可読媒体を備えるコンピュータプログラム製品。
［Ｃ５８］  前記少なくとも１つのコンピュータに選択させるための前記コードは、前記ＡＰＮが前記ローカルゲートウェイへのＰＤＮ接続性に対応することを指定する、サブスクリプション情報中の１つまたは複数のパラメータにさらに少なくとも部分的に基づいて前記ＡＰＮを選択する、［Ｃ５７］に記載のコンピュータプログラム製品。
［Ｃ５９］  前記少なくとも１つのコンピュータに選択させるための前記コードは、前記ＡＰＮが限定加入者グループ（ＣＳＧ）についての前記ローカルゲートウェイへのＰＤＮ接続性に対応することを指定する、ＣＳＧサブスクリプション情報中の１つまたは複数のパラメータにさらに少なくとも部分的に基づいて前記ＡＰＮを選択する、［Ｃ５７］に記載のコンピュータプログラム製品。
［Ｃ６０］  パケットデータネットワーク（ＰＤＮ）接続を確立するための装置であって、  アクセスポイントと通信している間、ローカルゲートウェイへのＰＤＮ接続を確立することを判断するためのＰＤＮ要求判断構成要素と、  前記アクセスポイントにおける前記ローカルゲートウェイへのＰＤＮ接続性に対応するアクセスポイント名（ＡＰＮ）を指定する、前記アクセスポイントへの前記ＰＤＮ接続を確立したいという要求を送信するためのＰＤＮ接続要求構成要素とを備える装置。
［Ｃ６１］  前記ＡＰＮが前記ローカルゲートウェイへのＰＤＮ接続性に対応することを指定する１つまたは複数のパラメータをサブスクリプション情報中で取得するためのパラメータ受信構成要素をさらに備え、前記ＰＤＮ接続要求構成要素が、前記１つまたは複数のパラメータに少なくとも部分的に基づいて前記ＡＰＮを選択する、［Ｃ６０］に記載の装置。
［Ｃ６２］  前記ＡＰＮが、限定加入者グループ（ＣＳＧ）についての前記ローカルゲートウェイへのＰＤＮ接続性に対応することを指定する１つまたは複数のパラメータをＣＳＧサブスクリプション情報中で取得するためのパラメータ受信構成要素をさらに備え、前記ＰＤＮ接続要求構成要素が、前記１つまたは複数のパラメータに少なくとも部分的に基づいてＡＰＮを選択する、［Ｃ６０］に記載の装置。
［Ｃ６３］  前記ＰＤＮ接続要求構成要素は、前記ＣＳＧが前記アクセスポイントに関連すると判断したことにさらに少なくとも部分的に基づいて前記ＡＰＮを選択する、［Ｃ６２］に記載の装置。
【図１】
0005632537.tif 000002
【図２】
0005632537.tif 000003
【図３】
0005632537.tif 000004
【図４】
0005632537.tif 000005
【図５】
0005632537.tif 000006
【図６】
0005632537.tif 000007
【図７】
0005632537.tif 000008
【図８】
0005632537.tif 000009
【図９】
0005632537.tif 000010
【図１０】
0005632537.tif 000011
【図１１】
0005632537.tif 000012
【図１２】
0005632537.tif 000013
【図１３】
0005632537.tif 000014
【図１４】
0005632537.tif 000015
【図１５】
0005632537.tif 000016